(57)【要約】  基地局（１００）は、セル（１１０，１２０，１３０）と、仮想セル（１４０）と、を備えている。セル（１１０，１２０，１３０）は、移動局（１０１）と無線通信を行う物理層およびデータリンク層の処理を行う第一処理部（１１２，１１３）と、無線通信を制御するネットワーク層の処理を行う第二処理部（１１４）と、を有する。仮想セル（１４０）のネットワーク層処理部（１４１）は、セル（１１０，１２０，１３０）の第一処理部（１１２，１１３）を用いたキャリアアグリゲーションによる移動局（１０１）と基地局（１００）との間の一連の無線通信を制御する。
2012131857.tif 000002
【特許請求の範囲】
【請求項１】
移動局との間の無線通信の物理層およびデータリンク層の処理を行う第一処理部と、前記無線通信のネットワーク層の処理を行う第二処理部と、を有する複数の通信部と、
前記複数の通信部の前記第一処理部を用いたキャリアアグリゲーションによる自局と移動局との間の一連の無線通信を制御するネットワーク層の第三処理部と、
を備えることを特徴とする基地局。
【請求項２】
前記第三処理部との間で前記ネットワーク層の処理を行うことを指示する指示メッセージを前記移動局へ送信する送信部を備え、
前記第三処理部は、前記移動局との間で前記ネットワーク層の処理を行うことを特徴とする請求項１に記載の基地局。
【請求項３】
前記複数の通信部に含まれる所定の通信部との間で前記ネットワーク層の処理を行うことを指示する指示メッセージを前記移動局へ送信する送信部を備え、
前記第三処理部は、前記ネットワーク層の処理に用いる前記所定の通信部に固有のパラメータを取得し、取得したパラメータを用いて前記移動局との間で前記ネットワーク層の処理を行うことを特徴とする請求項１に記載の基地局。
【請求項４】
前記ネットワーク層の処理には前記無線通信により伝送されるデータの秘匿処理が含まれることを特徴とする請求項２または３に記載の基地局。
【請求項５】
前記ネットワーク層の処理には前記無線通信により伝送されるデータの秘匿処理が含まれ、
前記パラメータには前記秘匿処理のキー情報が含まれることを特徴とする請求項３に記載の基地局。
【請求項６】
移動局との間の無線通信の物理層およびデータリンク層の処理を行う第一処理部と、前記無線通信のネットワーク層の処理を行う第二処理部と、を有する複数の通信部を備え、
前記複数の通信部の前記第一処理部を用いたキャリアアグリゲーションによる自局と移動局との間の一連の無線通信を、前記複数の通信部に含まれる一つの通信部の前記第二処理部によって制御することを特徴とする基地局。
【請求項７】
前記一つの通信部との間で前記ネットワーク層の処理を行うことを指示する指示メッセージを前記移動局へ送信する送信部を備え、
前記一つの通信部は、前記移動局との間で前記ネットワーク層の処理を行うことを特徴とする請求項６に記載の基地局。
【請求項８】
前記複数の通信部に含まれる所定の通信部との間で前記ネットワーク層の処理を行うことを指示する指示メッセージを前記移動局へ送信し、
前記一つの通信部の前記第二処理部は、前記所定の通信部に固有の前記ネットワーク層の処理に用いるパラメータを取得し、取得したパラメータを用いて前記移動局との間で前記ネットワーク層の処理を行うことを特徴とする請求項６に記載の基地局。
【請求項９】
移動局との間の無線通信の物理層およびデータリンク層の処理を行う第一処理部と、前記無線通信のネットワーク層の処理を行う第二処理部と、を有する複数の通信部と、前記複数の通信部の前記第一処理部を用いたキャリアアグリゲーションによる自局と移動局との間の一連の無線通信を制御するネットワーク層の第三処理部と、を備える基地局と、
前記基地局との間で前記キャリアアグリゲーションによる無線通信を行う移動局と、
を含むことを特徴とする通信システム。
【請求項１０】
移動局との間の無線通信の物理層およびデータリンク層の処理を行う第一処理部と、前記無線通信のネットワーク層の処理を行う第二処理部と、を有する複数の通信部を備え、前記複数の通信部の前記第一処理部を用いたキャリアアグリゲーションによる自局と移動局との間の一連の無線通信を、前記複数の通信部に含まれる一つの通信部の前記第二処理部によって制御する基地局と、
前記基地局との間で前記キャリアアグリゲーションによる無線通信を行う移動局と、
を含むことを特徴とする通信システム。
【請求項１１】
移動局との間の無線通信の物理層およびデータリンク層の処理を行う第一処理部と、前記無線通信のネットワーク層の処理を行う第二処理部と、を有する複数の通信部および第三処理部を備える基地局と移動局とによる通信方法において、
前記複数の通信部の前記第一処理部を用いたキャリアアグリゲーションによる前記基地局と前記移動局との間の一連の無線通信を前記第三処理部によって制御することを特徴とする通信方法。
【請求項１２】
移動局との間の無線通信の物理層およびデータリンク層の処理を行う第一処理部と、前記無線通信のネットワーク層の処理を行う第二処理部と、を有する複数の通信部を備える基地局と移動局とによる通信方法において、
前記複数の通信部の前記第一処理部を用いたキャリアアグリゲーションによる前記基地局と前記移動局との間の一連の無線通信を前記複数の通信部に含まれる一つの通信部の前記第二処理部によって制御することを特徴とする通信方法。
【請求項１３】
移動局との間の無線通信の物理層およびデータリンク層の処理を行う複数の通信部と、
前記複数の通信部を用いたキャリアアグリゲーションによる自局と移動局との間の一連の無線通信を制御するネットワーク層の処理部と、
を備えることを特徴とする基地局。
【発明の詳細な説明】
【技術分野】
【０００１】
本発明は、無線通信を行う基地局、通信システムおよび通信方法に関する。
【背景技術】
【０００２】
携帯電話などの移動通信システムは、基地局が送受信可能な範囲からなるエリア（セル）を複数組み合わせて広いエリアをカバーし、移動局の移動に伴い通信する基地局を切り換えながら通信を継続するセルラー方式が主流となっている。現在は、たとえばＣＤＭＡ（Ｃｏｄｅ  Ｄｉｖｉｓｉｏｎ  Ｍｕｌｔｉｐｌｅ  Ａｃｃｅｓｓ）方式による第３世代移動通信方式のサービスが行われている。一方で、より高速な通信を可能とする次世代移動通信方式が検討されている（たとえば、下記特許文献１〜４参照。）。【０００３】
たとえば３ＧＰＰ（３ｒｄ  Ｇｅｎｅｒａｔｉｏｎ  Ｐａｒｔｎｅｒｓｈｉｐ  Ｐｒｏｊｅｃｔ）においては、ＬＴＥ（Ｌｏｎｇ  Ｔｅｒｍ  Ｅｖｏｌｕｔｉｏｎ）やＬＴＥの発展版であるＬＴＥ−ａｄｖａｎｃｅｄが検討されている。ＬＴＥ−ａｄｖａｎｃｅｄでは、伝送レートの向上を目的として複数のキャリア周波数（ＣＣ：Ｃｏｍｐｏｎｅｎｔ  Ｃａｒｒｉｅｒ）を組み合わせて使用するキャリアアグリゲーションが検討されている。【０００４】
また、ＬＴＥにおいて、たとえば従来の移動局装置との互換性や構成の容易さを考慮して、既存のセルを複数組み合わせることでキャリアアグリゲーションを行う構成が検討されている。このような構成においては、組み合わされる各キャリア周波数は、それぞれで単独のセルを形成している。したがって、キャリアアグリゲーションの際には、複数のセルが組み合わされて一つのセルとして動作する。また、移動局とセル間の通信の制御を行うＲＲＣ（Ｒａｄｉｏ  Ｒｅｓｏｕｒｃｅ  Ｃｏｎｔｒｏｌ：無線リソース制御）は、移動局に対して一つ設定される。【０００５】
このため、キャリアアグリゲーションの際には組み合わされた複数のセルのうちのいずれか一つがＲＲＣを設定することになり、このセルを主セル（Ｐｒｉｍａｒｙ  Ｃｅｌｌ）と称する。また、複数のセルのうちの主セル以外のセルを副セル（Ｓｅｃｏｎｄａｒｙ  Ｃｅｌｌ）と称する。移動局がアグリゲーションを用いて通信を行っている際に、通信品質の変動などにより主セルを変更する場合には、主セルと、副セルのうちの一つと、を交換する。この交換の手順には、たとえば秘匿処理におけるキー情報の受け渡しなどが含まれ、たとえばハンドオーバの手順が用いられる。たとえば、主セルは、無線通信の制御を安定して行うために、通信品質の最も高いセルに設定される。
【先行技術文献】
【特許文献】
【０００６】
【特許文献１】特開２０１０−１５４３９９号公報
【特許文献２】特開２０１０−１５７９９４号公報
【特許文献３】特開２０１０−９３８５４号公報
【特許文献４】特開２００９−２４６８７５号公報
【発明の概要】
【発明が解決しようとする課題】
【０００７】
しかしながら、上述した従来技術では、既存のセルを複数組み合わせることでキャリアアグリゲーションを行う構成において、たとえば通信品質の変動などにより主セルを変更する場合に、複雑なハンドオーバの手順を行うことになる。このため、通信の瞬断や遅延が生じる可能性があり、キャリアアグリゲーションによる無線通信が不安定になるという問題がある。【０００８】
本発明は、上述した従来技術による問題点を解消するため、無線通信を安定させることができる基地局、通信システムおよび通信方法を提供することを目的とする。
【課題を解決するための手段】
【０００９】
上述した課題を解決し、目的を達成するため、本発明の一側面によれば、移動局との間の無線通信の物理層およびデータリンク層の処理を行う第一処理部と、前記無線通信のネットワーク層の処理を行う第二処理部と、を有する複数の通信部および第三処理部を備える基地局と移動局とによる通信において、前記複数の通信部の前記第一処理部を用いたキャリアアグリゲーションによる前記基地局と前記移動局との間の一連の無線通信を前記第三処理部によって制御する基地局、通信システムおよび通信方法が提案される。【００１０】
また、本発明の他の一側面によれば、移動局との間の無線通信の物理層およびデータリンク層の処理を行う第一処理部と、前記無線通信のネットワーク層の処理を行う第二処理部と、を有する複数の通信部を備える基地局と移動局とによる通信において、前記複数の通信部の前記第一処理部を用いたキャリアアグリゲーションによる前記基地局と前記移動局との間の一連の無線通信を前記複数の通信部に含まれる一つの通信部の前記第二処理部によって制御する基地局、通信システムおよび通信方法が提案される。
【発明の効果】
【００１１】
本発明の一側面によれば、無線通信を安定させることができるという効果を奏する。
【図面の簡単な説明】
【００１２】
【図１】図１は、実施の形態１にかかる通信システムの構成例を示す図である。
【図２】図２は、図１に示した基地局の構成例１を示す図である。
【図３】図３は、図２に示した構成例１に対応する通信システムの動作例を示すシーケンス図である。
【図４】図４は、図２に示した構成例１に対応するセルの処理の一例を示すフローチャートである。
【図５】図５は、図１に示した基地局の構成例２を示す図である。
【図６】図６は、図５に示した構成例２に対応する通信システムの動作例を示すシーケンス図である。
【図７】図７は、図５に示した構成例２に対応するセルの処理の一例を示すフローチャートである。
【図８】図８は、実施の形態２にかかる通信システムの構成例を示す図である。
【図９】図９は、図８に示した基地局の構成例１を示す図である。
【図１０】図１０は、図９に示した構成例１に対応する通信システムの動作例を示すシーケンス図である。
【図１１】図１１は、図２に示した構成例１に対応するセルの処理の一例を示すフローチャートである。
【図１２】図１２は、図１に示した基地局の構成例２を示す図である。
【図１３】図１３は、図１２に示した構成例２に対応する通信システムの動作例を示すシーケンス図である。
【図１４】図１４は、図１２に示した構成例２に対応するセルの処理の一例を示すフローチャートである。
【発明を実施するための形態】
【００１３】
以下に添付図面を参照して、本発明にかかる基地局、通信システムおよび通信方法の実施の形態を詳細に説明する。
【００１４】
（実施の形態１）
図１は、実施の形態１にかかる通信システムの構成例を示す図である。図１に示すように、実施の形態１にかかる通信システムは、基地局１００と、移動局１０１と、ゲートウェイ１０２と、を含んでいる。移動局１０１は、たとえばＬＴＥで規定されたＵＥ（Ｕｓｅｒ  Ｅｑｕｉｐｍｅｎｔ：ユーザ端末）である。
【００１５】
基地局１００は、移動局１０１との間で無線通信を行う。また、基地局１００は、ゲートウェイ１０２を介して基幹ネットワークに接続され、移動局１０１と基幹ネットワークとの間の通信を中継する。基地局１００は、たとえばＬＴＥで規定されたｅＮＢ（ｅｖｏｌｕｔｉｏｎａｌ  Ｎｏｄｅ  Ｂ）である。
【００１６】
基地局１００は、アンテナ１１１，１２１，１３１と、セル１１０，１２０，１３０と、仮想セル１４０と、を備えている。セル１１０は、物理層処理部１１２（Ｌ１）と、データリンク層処理部１１３（Ｌ２）と、ネットワーク層処理部１１４（Ｌ３）と、を備える通信部である。物理層処理部１１２およびデータリンク層処理部１１３は、移動局１０１との間の無線通信の物理層およびデータリンク層の処理を行う第一処理部である。
【００１７】
具体的には、物理層処理部１１２は、アンテナ１１１を用いた移動局１０１との間の無線通信における物理層（レイヤ１）の処理を行う。物理層の処理には、たとえば、アンテナ１１１により電波を送信する処理や、アンテナ１１１により受信した電波を電気信号に変換する処理などが含まれる。
【００１８】
データリンク層処理部１１３は、アンテナ１１１および物理層処理部１１２を用いた移動局１０１との間の無線通信におけるデータリンク層（レイヤ２）の処理を行う。データリンク層の処理には、たとえば無線リソースの割り当て制御などを行うＭＡＣ（Ｍｅｄｉａ  Ａｃｃｅｓｓ  Ｃｏｎｔｒｏｌ）や、無線リンクの制御を行うＲＬＣ（Ｒａｄｉｏ  Ｌｉｎｋ  Ｃｏｎｔｒｏｌ：無線リンク制御）の処理などが含まれる。
【００１９】
ネットワーク層処理部１１４は、アンテナ１１１、物理層処理部１１２およびデータリンク層処理部１１３を用いた移動局１０１との間の無線通信を制御するネットワーク層（レイヤ３）の処理を行うＲＲＣの機能を有する第二処理部である。ネットワーク層処理部１１４による無線通信の制御には、たとえば物理層処理部１１２およびデータリンク層処理部１１３の動作の制御やデータの秘匿処理などが含まれる。そして、ネットワーク層処理部１１４は、ゲートウェイ１０２を介して、移動局１０１と基幹ネットワークとの間の通信を中継する。
【００２０】
セル１２０は、アンテナ１２１を用いて移動局１０１との間で無線通信を行う通信部である。セル１３０は、アンテナ１３１を用いて移動局１０１との間で無線通信を行う通信部である。また、セル１２０，１３０は、セル１１０と同様の物理層処理部１１２、データリンク層処理部１１３およびネットワーク層処理部１１４を備えている。
【００２１】
また、基地局１００は、所定の場合に、セル１１０，１２０，１３０の各コンポーネントキャリアを用いたキャリアアグリゲーションによって移動局１０１との無線通信を行う。具体的には、基地局１００は、セル１１０，１２０，１３０のそれぞれの物理層処理部１１２およびデータリンク層処理部１１３（第一処理部）を用いたキャリアアグリゲーションを行う。キャリアアグリゲーションを行う所定の場合とは、たとえば、移動局１０１との間で送受信するデータの量が閾値を超えた場合などである。
【００２２】
仮想セル１４０（Ｖｉｒｔｕａｌ  Ｃｅｌｌ）は、ネットワーク層処理部１４１（Ｌ３）を備える通信部である。仮想セル１４０は、たとえば、アンテナ、物理層処理部、データリンク層処理部などを備えていない仮想的なセルである。ネットワーク層処理部１４１は、ＲＲＣの機能を有する第三処理部である。すなわち、ネットワーク層処理部１４１は、セル１１０，１２０，１３０の各コンポーネントキャリアを用いたキャリアアグリゲーションによる移動局１０１と基地局１００との間の一連の無線通信を制御するネットワーク層の処理を行う。
【００２３】
移動局１０１と基地局１００との間の一連の無線通信とは、たとえば、移動局１０１と基地局１００との間のリンクの確立から、移動局１０１と基地局１００との間のリンクの切断までの無線通信である。ネットワーク層処理部１４１は、具体的には、セル１１０，１２０，１３０のそれぞれの物理層処理部１１２およびデータリンク層処理部１１３による移動局１０１との間の一連の無線通信におけるネットワーク層の処理を行う。そして、ネットワーク層処理部１４１は、ゲートウェイ１０２を介して、移動局１０１とネットワークとの間の通信を中継する。
【００２４】
したがって、基地局１００が移動局１０１との間でキャリアアグリゲーションを行う場合は、セル１１０，１２０，１３０のそれぞれのネットワーク層処理部１１４は移動局１０１に関するネットワーク層の処理を行わなくてもよい。一方、基地局１００がキャリアアグリゲーションを行わない場合は、ネットワーク層処理部１４１はネットワーク層の処理を行わなくてもよい。
【００２５】
図１に示した基地局１００は、物理層処理部１１２、データリンク層処理部１１３およびネットワーク層処理部１１４を含む複数のセルを組み合わせることでキャリアアグリゲーションを行う構成である。したがって、従来の移動局装置との互換性を向上させるとともに、従来の基地局装置の変更により基地局１００を容易に実現することができる。
【００２６】
また、キャリアアグリゲーションによる移動局１０１と基地局１００との間の一連の無線通信を一つのセル（仮想セル１４０）で制御する。すなわち、キャリアアグリゲーションによる移動局１０１と基地局１００との間の通信中は、無線通信の制御を仮想セル１４０から他のセルに移管しない。これにより、無線通信を制御する主セルの複雑な切り換え動作を行わなくてもキャリアアグリゲーションを行うことができる。このため、無線通信の瞬断や遅延を抑制して無線通信を安定させることができる。
【００２７】
なお、３つのキャリアコンポーネントを組み合わせたキャリアアグリゲーションを行う場合について説明したが、キャリアアグリゲーションにおいて組み合わせるキャリアコンポーネントは３つに限らない。
【００２８】
セル１１０，１２０，１３０のそれぞれのデータリンク層処理部１１３およびネットワーク層処理部１１４や仮想セル１４０のネットワーク層処理部１４１は、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などの１つまたは複数の演算手段によって実現することができる。
【００２９】
移動局１０１は、たとえば、セル１１０，１２０，１３０のいずれかと無線通信を行う場合に、無線通信を行っているセルからの受信品質を測定し、測定結果を無線通信を行っているセルへ送信する。また、移動局１０１は、たとえば、セル１１０，１２０，１３０を用いたキャリアアグリゲーションによる無線通信を行う場合に、セル１１０，１２０，１３０のうちのキャリアアグリゲーションの主セルからの受信品質を測定する。そして、移動局１０１は、キャリアアグリゲーションの主セルへ測定結果（ｍｅａｓｕｒｅｍｅｎｔ  ｒｅｐｏｒｔ）を送信する。
【００３０】
＜構成例１＞
基地局１００の構成例１においては、セル１１０，１２０，１３０の通信品質の変動などにかかわらず、主セルとして設定されるセルが仮想セル１４０に固定される。
【００３１】
図２は、図１に示した基地局の構成例１を示す図である。図２において、図１に示した部分と同様の部分については同一の符号を付して説明を省略する。基地局１００が備える仮想セル１４０のネットワーク層処理部１４１は、たとえば、制御部２０１と、ユーザデータ処理部２０２と、を備えている。
【００３２】
制御部２０１は、セル１１０，１２０，１３０のそれぞれの物理層処理部１１２およびデータリンク層処理部１１３を介して移動局１０１との間で確立するＣ−Ｐｌａｎｅ（制御信号系）を終端するＲＲＣの機能を有する。制御部２０１は、Ｃ−Ｐｌａｎｅによって移動局１０１と送受信する制御信号をゲートウェイ１０２と送受信する。
【００３３】
ユーザデータ処理部２０２は、セル１１０，１２０，１３０のそれぞれの物理層処理部１１２およびデータリンク層処理部１１３を介して移動局１０１との間で確立するＵ−Ｐｌａｎｅを終端する。ユーザデータ処理部２０２は、Ｕ−Ｐｌａｎｅ（主信号系）によって移動局１０１と送受信するユーザデータをゲートウェイ１０２と送受信する。
【００３４】
図３は、図２に示した構成例１に対応する通信システムの動作例を示すシーケンス図である。図３に示すように、まず、移動局１０１が、基地局１００のセル１１０との間で通信を行っているとする（ステップＳ３０１）。具体的には、移動局１０１は、セル１１０との間でＣ−ＰｌａｎｅおよびＵ−Ｐｌａｎｅを確立している。
【００３５】
つぎに、セル１１０が、仮想セル１４０を主セルとするキャリアアグリゲーションの開始を指示する指示メッセージを移動局１０１へ送信する（ステップＳ３０２）。ステップＳ３０２によって送信される指示メッセージは、たとえばＲＲＣシグナリングとして送信される「ＲＲＣ  Ｒｅｃｏｎｆｉｇｕｒａｔｉｏｎ」である。
【００３６】
つぎに、移動局１０１が、キャリアアグリゲーションの主セルを仮想セル１４０に設定し、仮想セル１４０への完了メッセージを送信する（ステップＳ３０３）。ステップＳ３０３によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。ステップＳ３０３によって送信された完了メッセージは、たとえばセル１１０，１２０，１３０を介して仮想セル１４０によって受信される。
【００３７】
つぎに、移動局１０１が、基地局１００のセル１１０，１２０，１３０との間でキャリアアグリゲーションによる無線通信を開始する（ステップＳ３０４）。具体的には、移動局１０１は、仮想セル１４０との間でＣ−Ｐｌａｎｅを確立する。また、移動局１０１は、セル１１０，１２０，１３０との間でそれぞれ無線リンクを確立し、ユーザデータ（Ｕ−Ｐｌａｎｅ）の伝送を行う。
【００３８】
このように、移動局１０１とセル１１０，１２０，１３０との間でキャリアアグリゲーションによる一連の無線通信を行っている間は、主セルは仮想セル１４０に固定される。したがって、主セルの変更に伴うハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００３９】
このように、構成例１においては、仮想セル１４０のネットワーク層処理部１４１との間でネットワーク層の処理を行うことを指示する指示メッセージを移動局１０１へ送信する。指示メッセージを送信する送信部には、たとえばセル１１０，１２０，１３０の少なくともいずれかの物理層処理部１１２およびデータリンク層処理部１１３を用いることができる。これに対して、仮想セル１４０のネットワーク層処理部１４１は、移動局１０１との間でネットワーク層の処理を行う。ネットワーク層処理部１４１と移動局１０１との間で行われるネットワーク層の処理には、たとえば無線通信により伝送されるデータ（たとえばユーザデータ）の秘匿処理が含まれる。
【００４０】
図４は、図２に示した構成例１に対応するセルの処理の一例を示すフローチャートである。図２に示したセル１１０は、移動局１０１と単独のキャリアコンポーネントを用いて無線通信を行っている場合に、たとえば図４に示す各ステップを実行する。なお、セル１１０の処理について説明するが、セル１２０，１３０も同様の処理を行ってもよい。
【００４１】
まず、セル１１０は、移動局１０１との間でキャリアアグリゲーションを開始するか否かを判断する（ステップＳ４０１）。キャリアアグリゲーションを開始するか否かの判断は、たとえば、移動局１０１と基地局１００との間の通信品質やトラフィック量に基づいて行う。移動局１０１との間でキャリアアグリゲーションを開始しないと判断した場合（ステップＳ４０１：Ｎｏ）は、セル１１０は、一連の処理を終了する。
【００４２】
ステップＳ４０１において、移動局１０１との間でキャリアアグリゲーションを開始すると判断した場合（ステップＳ４０１：Ｙｅｓ）は、セル１１０は、ステップＳ４０２へ移行する。すなわち、セル１１０は、移動局１０１との間の無線通信におけるＲＲＣの機能を仮想セル１４０へ移管し（ステップＳ４０２）、一連の処理を終了する。ステップＳ４０２の後に、セル１１０は、移動局１０１と仮想セル１４０との間において行われるキャリアアグリゲーションに含まれるキャリアコンポーネントの１つの送受信を行う。
【００４３】
ステップＳ４０２において、セル１１０は、たとえば、基地局１００と移動局１０１との間のキャリアアグリゲーションによる無線通信におけるＲＲＣの処理を行うように仮想セル１４０を制御する。また、セル１１０は、移動局１０１は、キャリアアグリゲーションを開始することを指示する指示メッセージを移動局１０１へ送信する。また、セル１１０は、移動局１０１と単独のキャリアコンポーネントを用いて行っていた無線通信のＲＲＣの処理を停止する。
【００４４】
＜構成例２＞
基地局１００の構成例２においては、セル１１０，１２０，１３０の通信品質の変動などにより、セル１１０，１２０，１３０の中で主セルとして設定されるセルが変更される。ただし、ＲＲＣの処理は、セル１１０，１２０，１３０の少なくともいずれかを介して仮想セル１４０によって終端される。
【００４５】
図５は、図１に示した基地局の構成例２を示す図である。図５において、図２に示した部分と同様の部分については同一の符号を付して説明を省略する。キャリアアグリゲーションを開始する場合は、図５に示すように、セル１１０，１２０，１３０のうちの主セルとして設定されるセルのネットワーク層処理部１１４が、ＲＲＣの処理に用いるセル情報（ＲＲＣパラメータ）を仮想セル１４０へ出力してもよい。セル情報は、たとえばセルごとに固有のパラメータである。また、セル情報は、たとえばＲＲＣにおけるデータの秘匿処理に用いるキー情報である。
【００４６】
仮想セル１４０の制御部２０１は、セル１１０，１２０，１３０のうちの主セルとして設定されているセルのセル情報を用いてＲＲＣの処理を行う。これにより、仮想セル１４０は、セル１１０，１２０，１３０のうちの主セルとして設定されているセルと同等のＲＲＣの処理を行うことができる。
【００４７】
たとえば、セル１１０が主セルとして設定されている場合に、制御部２０１はセル情報としてセル１１０に固有のキー情報をセル１１０から取得する。そして、制御部２０１は、取得したキー情報を用いたデータの秘匿処理を含むＲＲＣの処理を行う。また、主セルがセル１１０からセル１２０に変更された場合に、制御部２０１はセル情報としてセル１２０に固有のキー情報をセル１２０から取得する。そして、制御部２０１は、取得したキー情報を用いたデータの秘匿処理を含むＲＲＣの処理を行う。
【００４８】
図６は、図５に示した構成例２に対応する通信システムの動作例を示すシーケンス図である。図６に示すように、まず、移動局１０１が、基地局１００のセル１１０との間で通信を行っているとする（ステップＳ６０１）。具体的には、移動局１０１は、セル１１０との間でＣ−ＰｌａｎｅおよびＵ−Ｐｌａｎｅを確立している。
【００４９】
つぎに、セル１１０が、セル１１０に固有のセル情報を仮想セル１４０へ出力する（ステップＳ６０２）。つぎに、セル１１０が、セル１１０を主セルとするキャリアアグリゲーションの開始を指示する指示メッセージを移動局１０１へ送信する（ステップＳ６０３）。つぎに、移動局１０１が、キャリアアグリゲーションの主セルをセル１１０に設定し、セル１１０への完了メッセージを送信する（ステップＳ６０４）。ステップＳ６０４によって送信された完了メッセージは、たとえばセル１１０，１２０，１３０によって仮想セル１４０へ転送される。
【００５０】
つぎに、移動局１０１が、セル１１０を主セルとして設定し、基地局１００のセル１１０，１２０，１３０との間でキャリアアグリゲーションによる無線通信を開始する（ステップＳ６０５）。具体的には、移動局１０１は、主セルとして設定したセル１１０との間でＣ−Ｐｌａｎｅを確立する処理を行う。これに対して、仮想セル１４０が、ステップＳ６０２によって出力されたセル１１０に固有のセル情報を用いて、移動局１０１との間でＣ−Ｐｌａｎｅを確立する。
【００５１】
移動局１０１と仮想セル１４０との間のＣ−Ｐｌａｎｅは、たとえばセル１１０，１２０，１３０によって中継される。したがって、移動局１０１においてはセル１１０が主セルとして設定される一方、主セルとしての処理（ＲＲＣ処理）は仮想セル１４０が行うことになる。また、移動局１０１は、セル１１０，１２０，１３０との間でそれぞれＵ−Ｐｌａｎｅを確立する。
【００５２】
つぎに、移動局１０１と基地局１００との間のキャリアアグリゲーションの主セルをセル１１０からセル１２０へ変更するとする。この場合は、セル１２０が、セル１２０に固有のセル情報を仮想セル１４０へ出力する（ステップＳ６０６）。つぎに、仮想セル１４０が、セル１２０を主セルとするキャリアアグリゲーションの開始を指示する指示メッセージを、たとえばセル１１０，１２０，１３０を介して移動局１０１へ送信する（ステップＳ６０７）。つぎに、移動局１０１が、キャリアアグリゲーションの主セルをセル１２０に設定し、セル１２０への完了メッセージを送信する（ステップＳ６０８）。ステップＳ６０８によって送信された完了メッセージは、たとえばセル１１０，１２０，１３０によって仮想セル１４０へ転送される。
【００５３】
つぎに、移動局１０１が、セル１２０を主セルとして設定し、基地局１００のセル１１０，１２０，１３０との間でキャリアアグリゲーションによる無線通信を開始する（ステップＳ６０９）。具体的には、移動局１０１は、主セルとして設定したセル１２０との間でＣ−Ｐｌａｎｅを確立する処理を行う。これに対して、仮想セル１４０が、ステップＳ６０６によって出力されたセル１２０に固有のセル情報を用いて、移動局１０１との間でＣ−Ｐｌａｎｅを確立する。
【００５４】
移動局１０１と仮想セル１４０との間のＣ−Ｐｌａｎｅは、たとえばセル１１０，１２０，１３０によって中継される。したがって、移動局１０１においてはセル１２０が主セルとして設定されるが、主セルとしての処理（ＲＲＣ処理）は仮想セル１４０が行うことになる。また、移動局１０１は、セル１１０，１２０，１３０との間でそれぞれＵ−Ｐｌａｎｅを確立する。
【００５５】
これにより、移動局１０１とセル１１０，１２０，１３０との間でキャリアアグリゲーションによる通信を行っている間は、主セルが変更されても、主セルとしての処理は仮想セル１４０によって行われる。したがって、主セルの変更に伴う複雑なハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００５６】
なお、ステップＳ６０２，Ｓ６０６において、セル情報はたとえばＸ２インターフェースによって出力される。ステップＳ６０３，Ｓ６０７によって送信される指示メッセージは、たとえばＲＲＣシグナリングとして送信される「ＲＲＣ  Ｒｅｃｏｎｆｉｇｕｒａｔｉｏｎ」である。ステップＳ６０４，Ｓ６０８によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。
【００５７】
このように、構成例２においては、セル１１０，１２０，１３０に含まれる所定のセル（主セル）との間でネットワーク層の処理を行うことを指示する指示メッセージを移動局１０１へ送信する。指示メッセージを送信する送信部には、たとえばセル１１０，１２０，１３０の少なくともいずれかの物理層処理部１１２およびデータリンク層処理部１１３を用いることができる。
【００５８】
これに対して、セル１１０のネットワーク層処理部１１４は、所定のセルに固有の、ネットワーク層の処理に用いるパラメータ（セル情報）を取得し、取得したパラメータを用いて移動局１０１との間でネットワーク層の処理を行う。ネットワーク層処理部１１４と移動局１０１との間で行われるネットワーク層の処理には、たとえば無線通信により伝送されるデータ（たとえばユーザデータ）の秘匿処理が含まれる。この場合は、ネットワーク層の処理に用いるパラメータには、たとえば秘匿処理のキー情報が含まれる。
【００５９】
図７は、図５に示した構成例２に対応するセルの処理の一例を示すフローチャートである。図５に示したセル１１０は、移動局１０１と単独のキャリアコンポーネントを用いて無線通信を行っている場合に、たとえば図７に示す各ステップを実行する。なお、セル１１０の処理について説明するが、セル１２０，１３０も同様の処理を行ってもよい。
【００６０】
図７に示すステップＳ７０１，Ｓ７０２は、図４に示したステップＳ４０１，Ｓ４０２と同様である。ステップＳ７０２のつぎに、セル１１０は、自セルがキャリアアグリゲーションの主セルか否かを判断する（ステップＳ７０３）。キャリアアグリゲーションの主セルは、たとえば、直前に移動局１０１との間で無線通信を行っていたセルに設定される。たとえば図６に示した例においてキャリアアグリゲーションを開始する際は、セル１１０がキャリアアグリゲーションの主セルとなる。
【００６１】
ステップＳ７０３において、自セルがキャリアアグリゲーションの主セルでない場合（ステップＳ７０３：Ｎｏ）は、セル１１０は、一連の処理を終了する。この後、セル１１０は、移動局１０１と仮想セル１４０との間において行われるキャリアアグリゲーションに含まれるキャリアコンポーネントの１つの送受信を行う。
【００６２】
ステップＳ７０３において、自セルがキャリアアグリゲーションの主セルである場合（ステップＳ７０３：Ｙｅｓ）は、セル１１０は、自セルに固有のセル情報を仮想セル１４０へ出力し（ステップＳ７０４）、一連の処理を終了する。この後、セル１１０は、移動局１０１と仮想セル１４０との間において行われるキャリアアグリゲーションに含まれるキャリアコンポーネントの１つの送受信を行う。
【００６３】
このように、実施の形態１にかかる基地局１００によれば、キャリアアグリゲーションによる移動局１０１と基地局１００との間の一連の無線通信を仮想セル１４０で制御することができる。これにより、無線通信を制御する主セルの複雑な切り換え動作を行わなくてもキャリアアグリゲーションを行うことができる。このため、無線通信の瞬断や遅延を抑制し、無線通信を安定させることができる。
【００６４】
（実施の形態２）
図８は、実施の形態２にかかる通信システムの構成例を示す図である。図８において、図１に示した部分と同様の部分については同一の符号を付して説明を省略する。図８に示すように、実施の形態２にかかる基地局１００は、アンテナ１１１，１２１，１３１と、セル１１０，１２０，１３０と、を備えている。
【００６５】
実施の形態２においては、キャリアアグリゲーションを行う場合に、セル１１０，１２０，１３０のいずれかを共有セルとし、共有セルのネットワーク層処理部１１４をセル１１０，１２０，１３０で共有して用いる。たとえば図８に示す例では、セル１１０を共有セルとし、セル１１０のネットワーク層処理部１１４によって、キャリアアグリゲーションによる移動局１０１との無線通信を制御するネットワーク層の処理を行う。
【００６６】
具体的には、セル１１０のネットワーク層処理部１１４は、セル１１０，１２０，１３０のそれぞれの物理層処理部１１２およびデータリンク層処理部１１３による移動局１０１との無線通信におけるネットワーク層の処理を行う。したがって、基地局１００が移動局１０１との間でキャリアアグリゲーションを行う場合は、セル１２０，１３０のそれぞれのネットワーク層処理部１１４は移動局１０１に関するネットワーク層の処理を行わなくてもよい。
【００６７】
このように、実施の形態２においては、キャリアアグリゲーションによる移動局１０１と基地局１００との間の一連の無線通信を、セル１１０，１２０，１３０のうちの一つのセルによって制御する。これにより、無線通信を制御する主セルの複雑な切り換え動作を行わなくてもキャリアアグリゲーションを行うことができる。このため、無線通信の瞬断や遅延を抑制して無線通信を安定させることができる。
【００６８】
なお、キャリアアグリゲーションによる一連の無線通信を制御するのはセル１１０に限らず、セル１２０またはセル１３０でもよい。たとえば移動局１０１とのキャリアアグリゲーションによる一連の無線通信をセル１１０によって制御するとともに、移動局１０１と異なる移動局とのキャリアアグリゲーションによる一連の無線通信をセル１２０またはセル１３０によって制御してもよい。
【００６９】
＜構成例１＞
基地局１００の構成例１においては、セル１１０，１２０，１３０の通信品質の変動などにかかわらず、主セルとして設定されるセルがセル１１０，１２０，１３０のいずれかに固定される。
【００７０】
図９は、図８に示した基地局の構成例１を示す図である。図９において、図２または図８に示した部分と同様の部分については同一の符号を付して説明を省略する。基地局１００が備えるセル１１０のネットワーク層処理部１１４は、たとえば、制御部２０１と、ユーザデータ処理部２０２と、を備えている。
【００７１】
制御部２０１は、セル１１０，１２０，１３０のそれぞれの物理層処理部１１２およびデータリンク層処理部１１３を介して移動局１０１との間で確立するＣ−Ｐｌａｎｅ（制御信号系）を終端するＲＲＣの機能を有する。制御部２０１は、Ｃ−Ｐｌａｎｅによって移動局１０１と送受信する制御信号をゲートウェイ１０２と送受信する。
【００７２】
ユーザデータ処理部２０２は、セル１１０，１２０，１３０のそれぞれの物理層処理部１１２およびデータリンク層処理部１１３を介して移動局１０１との間で確立するＵ−Ｐｌａｎｅを終端する。ユーザデータ処理部２０２は、Ｕ−Ｐｌａｎｅ（主信号系）によって移動局１０１と送受信するユーザデータをゲートウェイ１０２と送受信する。
【００７３】
図１０は、図９に示した構成例１に対応する通信システムの動作例を示すシーケンス図である。図１０に示すように、まず、移動局１０１が、基地局１００のセル１１０との間で通信を行っているとする（ステップＳ１００１）。具体的には、移動局１０１は、セル１１０との間でＣ−ＰｌａｎｅおよびＵ−Ｐｌａｎｅを確立している。
【００７４】
つぎに、セル１１０が、セル１１０を主セルとするキャリアアグリゲーションの開始を指示する指示メッセージを移動局１０１へ送信する（ステップＳ１００２）。ステップＳ１００２によって送信される指示メッセージは、たとえばＲＲＣシグナリングとして送信される「ＲＲＣ  Ｒｅｃｏｎｆｉｇｕｒａｔｉｏｎ」である。
【００７５】
つぎに、移動局１０１が、キャリアアグリゲーションの主セルをセル１１０に設定し、セル１１０へ完了メッセージを送信する（ステップＳ１００３）。ステップＳ１００３によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。
【００７６】
つぎに、移動局１０１が、基地局１００のセル１１０，１２０，１３０との間でキャリアアグリゲーションによる無線通信を開始する（ステップＳ１００４）。具体的には、移動局１０１は、セル１１０との間でＣ−Ｐｌａｎｅを確立する。また、移動局１０１は、セル１１０，１２０，１３０との間でそれぞれ無線リンクを確立し、ユーザデータの伝送を行う。
【００７７】
このように、移動局１０１と基地局１００との間でキャリアアグリゲーションによる一連の無線通信を行っている間は、主セルはセル１１０に固定される。したがって、主セルの変更に伴うハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００７８】
図１１は、図２に示した構成例１に対応するセルの処理の一例を示すフローチャートである。図９に示したセル１１０は、移動局１０１と単独のキャリアコンポーネントを用いて無線通信を行っている場合に、たとえば図１１に示す各ステップを実行する。なお、セル１１０の処理について説明するが、セル１２０，１３０も同様の処理を行ってもよい。
【００７９】
まず、セル１１０は、移動局１０１との間でキャリアアグリゲーションを開始するか否かを判断する（ステップＳ１１０１）。キャリアアグリゲーションを開始するか否かの判断は、たとえば、移動局１０１と基地局１００との間のトラフィック量に基づいて行う。移動局１０１との間でキャリアアグリゲーションを開始しないと判断した場合（ステップＳ１１０１：Ｎｏ）は、セル１１０は、一連の処理を終了する。
【００８０】
ステップＳ１１０１において、移動局１０１との間でキャリアアグリゲーションを開始すると判断した場合（ステップＳ１１０１：Ｙｅｓ）は、セル１１０は、ステップＳ１１０２へ移行する。すなわち、セル１１０は、移動局１０１との間の無線通信におけるＲＲＣの機能を、キャリアアグリゲーションによる無線通信を制御する共有セルへ移管し（ステップＳ１１０２）、一連の処理を終了する。また、ステップＳ１１０２の後に、セル１１０は、移動局１０１と共有セルとの間において行われるキャリアアグリゲーションに含まれるキャリアコンポーネントの１つの送受信を行う。
【００８１】
ステップＳ１１０２において、たとえば図１０に示した例のように、共有セルがセル１１０である場合は、セル１１０は、移動局１０１との間のキャリアアグリゲーションによる無線通信におけるＲＲＣの機能を自身に設定する。一方、共有セルがセル１１０でない場合は、セル１１０は、移動局１０１との間のキャリアアグリゲーションによる無線通信におけるＲＲＣの処理を開始するように共有セルを制御する。
【００８２】
また、セル１１０は、キャリアアグリゲーションを開始することを指示する指示メッセージを移動局１０１へ送信する。また、セル１１０は、移動局１０１と単独のキャリアコンポーネントを用いて行っていた無線通信のＲＲＣの処理を停止する。
【００８３】
＜構成例２＞
基地局１００の構成例２においては、セル１１０，１２０，１３０の通信品質の変動などにより、セル１１０，１２０，１３０の中で主セルとして設定されるセルが変更される。ただし、ＲＲＣの処理はセル１１０，１２０，１３０のいずれかによって行われる。
【００８４】
図１２は、図１に示した基地局の構成例２を示す図である。図１２において、図９に示した部分と同様の部分については同一の符号を付して説明を省略する。ここではセル１１０を共有セルとする。セル１２０を主セルとしてセル１１０，１２０，１３０を用いたキャリアアグリゲーションを開始する場合は、セル１２０のネットワーク層処理部１１４が、ＲＲＣの処理に用いるセル１２０に固有のセル情報をセル１１０へ出力する。
【００８５】
また、セル１３０を主セルとしてセル１１０，１２０，１３０を用いたキャリアアグリゲーションを開始する場合は、セル１３０のネットワーク層処理部１１４が、ＲＲＣの処理に用いるセル１３０に固有のセル情報をセル１１０へ出力する。また、セル１１０を主セルとしてセル１１０，１２０，１３０を用いたキャリアアグリゲーションを開始する場合は、セル１１０は、自身に設定された固有のセル情報を取得する。
【００８６】
セル１１０の制御部２０１は、セル１１０，１２０，１３０のうちの主セルとして設定されているセルのセル情報を用いてＲＲＣの処理を行う。これにより、セル１１０は、セル１１０，１２０，１３０のうちの主セルとして設定されているセルと同等のＲＲＣの処理を行うことができる。
【００８７】
たとえば、セル１２０が主セルとして設定されている場合に、制御部２０１はセル情報としてセル１２０に固有のキー情報をセル１２０から取得する。そして、制御部２０１は、取得したキー情報を用いたデータの秘匿処理を含むＲＲＣの処理を行う。また、主セルがセル１２０からセル１３０に変更された場合に、制御部２０１はセル情報としてセル１３０に固有のキー情報をセル１２０から取得する。そして、制御部２０１は、取得したキー情報を用いたデータの秘匿処理を含むＲＲＣの処理を行う。
【００８８】
図１３は、図１２に示した構成例２に対応する通信システムの動作例を示すシーケンス図である。図１３に示すように、まず、移動局１０１が、基地局１００のセル１１０との間で通信を行っているとする（ステップＳ１３０１）。具体的には、移動局１０１は、セル１１０との間でＣ−ＰｌａｎｅおよびＵ−Ｐｌａｎｅを確立している。
【００８９】
つぎに、セル１１０が、セル１１０を主セルとするキャリアアグリゲーションの開始を指示する指示メッセージを移動局１０１へ送信する（ステップＳ１３０２）。つぎに、移動局１０１が、キャリアアグリゲーションの主セルをセル１１０に設定し、セル１１０へ完了メッセージを送信する（ステップＳ１３０３）。
【００９０】
つぎに、移動局１０１が、セル１１０を主セルとして設定し、基地局１００のセル１１０，１２０，１３０との間でキャリアアグリゲーションによる無線通信を開始する（ステップＳ１３０４）。具体的には、移動局１０１は、主セルとして設定したセル１１０との間でＣ−Ｐｌａｎｅを確立する処理を行う。これに対して、セル１１０が、セル１１０に固有のセル情報を用いて、移動局１０１との間でＣ−Ｐｌａｎｅを確立する。
【００９１】
つぎに、移動局１０１と基地局１００との間のキャリアアグリゲーションの主セルをセル１１０からセル１２０へ変更するとする。この場合は、セル１２０が、セル１２０に固有のセル情報をセル１１０へ出力する（ステップＳ１３０５）。
【００９２】
つぎに、セル１１０が、セル１２０を主セルとするキャリアアグリゲーションの開始を指示する指示メッセージを、たとえばセル１１０，１２０，１３０を介して移動局１０１へ送信する（ステップＳ１３０６）。つぎに、移動局１０１が、キャリアアグリゲーションの主セルをセル１２０に設定し、セル１２０への完了メッセージを送信する（ステップＳ１３０７）。ステップＳ１３０７によって送信された完了メッセージは、たとえばセル１１０，１２０，１３０によってセル１２０へ転送される。
【００９３】
つぎに、移動局１０１が、セル１２０を主セルとして設定し、基地局１００のセル１１０，１２０，１３０との間でキャリアアグリゲーションによる無線通信を開始する（ステップＳ１３０８）。具体的には、移動局１０１は、主セルとして設定したセル１２０との間でＣ−Ｐｌａｎｅを確立する処理を行う。これに対して、セル１１０が、ステップＳ１３０５によって出力されたセル１２０に固有のセル情報を用いて、移動局１０１との間でＣ−Ｐｌａｎｅを確立する。
【００９４】
移動局１０１との間のＣ−Ｐｌａｎｅは、セル１１０によって直接終端されてもよいし、セル１２０，１３０を介してセル１１０によって終端されてもよい。したがって、移動局１０１においてはセル１２０が主セルとして設定されるが、主セルとしての処理（ＲＲＣ処理）はセル１１０が行うことになる。また、移動局１０１は、セル１１０，１２０，１３０との間でそれぞれ無線リンクを確立し、ユーザデータの伝送を行う。
【００９５】
これにより、移動局１０１とセル１１０，１２０，１３０との間でキャリアアグリゲーションによる通信を行っている間は、主セルが変更されても、主セルとしての処理はセル１１０によって行われる。したがって、主セルの変更に伴う複雑なハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００９６】
なお、ステップＳ１３０５において、セル情報はたとえばＸ２インターフェースによって出力される。ステップＳ１３０２，Ｓ１３０６によって送信される指示メッセージは、たとえばＲＲＣシグナリングとして送信される「ＲＲＣ  Ｒｅｃｏｎｆｉｇｕｒａｔｉｏｎ」である。ステップＳ１３０３，Ｓ１３０７によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。
【００９７】
図１４は、図１２に示した構成例２に対応するセルの処理の一例を示すフローチャートである。図１２に示したセル１１０は、移動局１０１と単独のキャリアコンポーネントを用いて無線通信を行っている場合に、たとえば図１４に示す各ステップを実行する。なお、セル１１０の処理について説明するが、セル１２０，１３０も同様の処理を行ってもよい。図１４に示すステップＳ１４０１，Ｓ１４０２は、図１１に示したステップＳ１１０１，Ｓ１１０２と同様である。
【００９８】
ステップＳ１４０２のつぎに、セル１１０は、自セルがキャリアアグリゲーションの主セルか否かを判断する（ステップＳ１４０３）。キャリアアグリゲーションの主セルは、たとえば、直前に移動局１０１との間で無線通信を行っていたセルに設定される。たとえば図１３に示した例においてキャリアアグリゲーションを開始する際は、セル１１０がキャリアアグリゲーションの主セルとなる。
【００９９】
ステップＳ１４０３において、自セルがキャリアアグリゲーションの主セルでない場合（ステップＳ１４０３：Ｎｏ）は、セル１１０は、一連の処理を終了する。この後、セル１１０は、移動局１０１と基地局１００との間において行われるキャリアアグリゲーションに含まれるキャリアコンポーネントの１つの送受信を行う。
【０１００】
ステップＳ１４０３において、自セルがキャリアアグリゲーションの主セルである場合（ステップＳ１４０３：Ｙｅｓ）は、セル１１０は、ステップＳ１４０４へ移行する。すなわち、セル１１０は、自セルに固有のセル情報を、キャリアアグリゲーションによる無線通信を制御する共有セルへ出力し（ステップＳ１４０４）、一連の処理を終了する。この後、セル１１０は、移動局１０１と基地局１００との間において行われるキャリアアグリゲーションに含まれるキャリアコンポーネントの１つの送受信を行う。
【０１０１】
このように、実施の形態２にかかる基地局１００によれば、キャリアアグリゲーションによる移動局１０１と基地局１００との間の一連の無線通信を、セル１１０，１２０，１３０のいずれかで制御することができる。これにより、無線通信を制御する主セルの複雑な切り換え動作を行わなくてもキャリアアグリゲーションを行うことができる。このため、無線通信の瞬断や遅延を抑制し、無線通信を安定させることができる。
【０１０２】
以上説明したように、基地局、通信システムおよび通信方法によれば、無線通信を安定させることができる。
【符号の説明】
【０１０３】
１００  基地局
１０１  移動局
１０２  ゲートウェイ
１１０，１２０，１３０  セル
１１１，１２１，１３１  アンテナ
１１２  物理層処理部
１１３  データリンク層処理部
１１４，１４１  ネットワーク層処理部
１４０  仮想セル
２０１  制御部
２０２  ユーザデータ処理部
【図１】
2012131857.tif 000003
【図２】
2012131857.tif 000004
【図３】
2012131857.tif 000005
【図４】
2012131857.tif 000006
【図５】
2012131857.tif 000007
【図６】
2012131857.tif 000008
【図７】
2012131857.tif 000009
【図８】
2012131857.tif 000010
【図９】
2012131857.tif 000011
【図１０】
2012131857.tif 000012
【図１１】
2012131857.tif 000013
【図１２】
2012131857.tif 000014
【図１３】
2012131857.tif 000015
【図１４】
2012131857.tif 000016
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
移動局との間の無線通信の物理層およびデータリンク層の処理を行う第一処理部と、前記無線通信のネットワーク層の処理を行う第二処理部と、を有する複数の通信部と、
前記複数の通信部の前記第一処理部を用いたキャリアアグリゲーションによる自局と移動局との間の一連の無線通信を制御するネットワーク層の第三処理部と、
を備えることを特徴とする基地局。
【請求項２】
前記第三処理部との間で前記ネットワーク層の処理を行うことを指示する指示メッセージを前記移動局へ送信する送信部を備え、
前記第三処理部は、前記移動局との間で前記ネットワーク層の処理を行うことを特徴とする請求項１に記載の基地局。
【請求項３】
前記複数の通信部に含まれる所定の通信部との間で前記ネットワーク層の処理を行うことを指示する指示メッセージを前記移動局へ送信する送信部を備え、
前記第三処理部は、前記ネットワーク層の処理に用いる前記所定の通信部に固有のパラメータを取得し、取得したパラメータを用いて前記移動局との間で前記ネットワーク層の処理を行うことを特徴とする請求項１に記載の基地局。
【請求項４】
移動局との間の無線通信の物理層およびデータリンク層の処理を行う第一処理部と、前記無線通信のネットワーク層の処理を行う第二処理部と、を有する複数の基地局を備え、
前記複数の基地局の前記第一処理部を用いたキャリアアグリゲーションによる自局と移動局との間の一連の無線通信を、前記複数の基地局に含まれる一つの基地局の前記第二処理部によって制御することを特徴とする無線通信システム。
【請求項５】
前記一つの基地局との間で前記ネットワーク層の処理を行うことを指示する指示メッセージを前記移動局へ送信する送信部を備え、
前記一つの基地局は、前記移動局との間で前記ネットワーク層の処理を行うことを特徴とする請求項４に記載の無線通信システム。
【請求項６】
前記複数の基地局に含まれる所定の基地局との間で前記ネットワーク層の処理を行うことを指示する指示メッセージを前記移動局へ送信し、
前記一つの基地局の前記第二処理部は、前記所定の基地局に固有の前記ネットワーク層の処理に用いるパラメータを取得し、取得したパラメータを用いて前記移動局との間で前記ネットワーク層の処理を行うことを特徴とする請求項４に記載の無線通信システム。
【請求項７】
移動局との間の無線通信の物理層およびデータリンク層の処理を行う第一処理部と、前記無線通信のネットワーク層の処理を行う第二処理部と、を有する複数の通信部と、前記複数の通信部の前記第一処理部を用いたキャリアアグリゲーションによる自局と移動局との間の一連の無線通信を制御するネットワーク層の第三処理部と、を備える基地局と、
前記基地局との間で前記キャリアアグリゲーションによる無線通信を行う移動局と、
を含むことを特徴とする通信システム。
【請求項８】
移動局との間の無線通信の物理層およびデータリンク層の処理を行う第一処理部と、前記無線通信のネットワーク層の処理を行う第二処理部と、を有する複数の通信部を備え、前記複数の通信部の前記第一処理部を用いたキャリアアグリゲーションによる自局と移動局との間の一連の無線通信を、前記複数の通信部に含まれる一つの通信部の前記第二処理部によって制御する基地局と、
前記基地局との間で前記キャリアアグリゲーションによる無線通信を行う移動局と、
を含むことを特徴とする通信システム。
【請求項９】
移動局との間の無線通信の物理層およびデータリンク層の処理を行う第一処理部と、前記無線通信のネットワーク層の処理を行う第二処理部と、を有する複数の通信部および第三処理部を備える基地局と移動局とによる通信方法において、
前記複数の通信部の前記第一処理部を用いたキャリアアグリゲーションによる前記基地局と前記移動局との間の一連の無線通信を前記第三処理部によって制御することを特徴とする通信方法。
【請求項１０】
移動局との間の無線通信の物理層およびデータリンク層の処理を行う第一処理部と、前記無線通信のネットワーク層の処理を行う第二処理部と、を有する複数の通信部を備える基地局と移動局とによる通信方法において、
前記複数の通信部の前記第一処理部を用いたキャリアアグリゲーションによる前記基地局と前記移動局との間の一連の無線通信を前記複数の通信部に含まれる一つの通信部の前記第二処理部によって制御することを特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、無線通信を行う基地局、無線通信システム、通信システムおよび通信方法に関する。
【背景技術】
【０００２】
携帯電話などの移動通信システムは、基地局が送受信可能な範囲からなるエリア（セル）を複数組み合わせて広いエリアをカバーし、移動局の移動に伴い通信する基地局を切り換えながら通信を継続するセルラー方式が主流となっている。現在は、たとえばＣＤＭＡ（Ｃｏｄｅ  Ｄｉｖｉｓｉｏｎ  Ｍｕｌｔｉｐｌｅ  Ａｃｃｅｓｓ）方式による第３世代移動通信方式のサービスが行われている。一方で、より高速な通信を可能とする次世代移動通信方式が検討されている（たとえば、下記特許文献１〜４参照。）。
【０００３】
たとえば３ＧＰＰ（３ｒｄ  Ｇｅｎｅｒａｔｉｏｎ  Ｐａｒｔｎｅｒｓｈｉｐ  Ｐｒｏｊｅｃｔ）においては、ＬＴＥ（Ｌｏｎｇ  Ｔｅｒｍ  Ｅｖｏｌｕｔｉｏｎ）やＬＴＥの発展版であるＬＴＥ−ａｄｖａｎｃｅｄが検討されている。ＬＴＥ−ａｄｖａｎｃｅｄでは、伝送レートの向上を目的として複数のキャリア周波数（ＣＣ：Ｃｏｍｐｏｎｅｎｔ  Ｃａｒｒｉｅｒ）を組み合わせて使用するキャリアアグリゲーションが検討されている。
【０００４】
また、ＬＴＥにおいて、たとえば従来の移動局装置との互換性や構成の容易さを考慮して、既存のセルを複数組み合わせることでキャリアアグリゲーションを行う構成が検討されている。このような構成においては、組み合わされる各キャリア周波数は、それぞれで単独のセルを形成している。したがって、キャリアアグリゲーションの際には、複数のセルが組み合わされて一つのセルとして動作する。また、移動局とセル間の通信の制御を行うＲＲＣ（Ｒａｄｉｏ  Ｒｅｓｏｕｒｃｅ  Ｃｏｎｔｒｏｌ：無線リソース制御）は、移動局に対して一つ設定される。
【０００５】
このため、キャリアアグリゲーションの際には組み合わされた複数のセルのうちのいずれか一つがＲＲＣを設定することになり、このセルを主セル（Ｐｒｉｍａｒｙ  Ｃｅｌｌ）と称する。また、複数のセルのうちの主セル以外のセルを副セル（Ｓｅｃｏｎｄａｒｙ  Ｃｅｌｌ）と称する。移動局がアグリゲーションを用いて通信を行っている際に、通信品質の変動などにより主セルを変更する場合には、主セルと、副セルのうちの一つと、を交換する。この交換の手順には、たとえば秘匿処理におけるキー情報の受け渡しなどが含まれ、たとえばハンドオーバの手順が用いられる。たとえば、主セルは、無線通信の制御を安定して行うために、通信品質の最も高いセルに設定される。
【先行技術文献】
【特許文献】
【０００６】
【特許文献１】特開２０１０−１５４３９９号公報
【特許文献２】特開２０１０−１５７９９４号公報
【特許文献３】特開２０１０−９３８５４号公報
【特許文献４】特開２００９−２４６８７５号公報
【発明の概要】
【発明が解決しようとする課題】
【０００７】
しかしながら、上述した従来技術では、既存のセルを複数組み合わせることでキャリアアグリゲーションを行う構成において、たとえば通信品質の変動などにより主セルを変更する場合に、複雑なハンドオーバの手順を行うことになる。このため、通信の瞬断や遅延が生じる可能性があり、キャリアアグリゲーションによる無線通信が不安定になるという問題がある。
【０００８】
本発明は、上述した従来技術による問題点を解消するため、無線通信を安定させることができる基地局、無線通信システム、通信システムおよび通信方法を提供することを目的とする。
【課題を解決するための手段】
【０００９】
上述した課題を解決し、目的を達成するため、本発明の一側面によれば、移動局との間の無線通信の物理層およびデータリンク層の処理を行う第一処理部と、前記無線通信のネットワーク層の処理を行う第二処理部と、を有する複数の通信部および第三処理部を備える基地局と移動局とによる通信において、前記複数の通信部の前記第一処理部を用いたキャリアアグリゲーションによる前記基地局と前記移動局との間の一連の無線通信を前記第三処理部によって制御する基地局、無線通信システム、通信システムおよび通信方法が提案される。
【発明の効果】
【００１０】
本発明の一側面によれば、無線通信を安定させることができるという効果を奏する。
【図面の簡単な説明】
【００１１】
【図１】図１は、実施の形態１にかかる通信システムの構成例を示す図である。
【図２】図２は、図１に示した基地局の構成例１を示す図である。
【図３】図３は、図２に示した構成例１に対応する通信システムの動作例を示すシーケンス図である。
【図４】図４は、図２に示した構成例１に対応するセルの処理の一例を示すフローチャートである。
【図５】図５は、図１に示した基地局の構成例２を示す図である。
【図６】図６は、図５に示した構成例２に対応する通信システムの動作例を示すシーケンス図である。
【図７】図７は、図５に示した構成例２に対応するセルの処理の一例を示すフローチャートである。
【図８】図８は、実施の形態２にかかる通信システムの構成例を示す図である。
【図９】図９は、図８に示した基地局の構成例１を示す図である。
【図１０】図１０は、図９に示した構成例１に対応する通信システムの動作例を示すシーケンス図である。
【図１１】図１１は、図２に示した構成例１に対応するセルの処理の一例を示すフローチャートである。
【図１２】図１２は、図１に示した基地局の構成例２を示す図である。
【図１３】図１３は、図１２に示した構成例２に対応する通信システムの動作例を示すシーケンス図である。
【図１４】図１４は、図１２に示した構成例２に対応するセルの処理の一例を示すフローチャートである。
【発明を実施するための形態】
【００１２】
以下に添付図面を参照して、本発明にかかる基地局、無線通信システム、通信システムおよび通信方法の実施の形態を詳細に説明する。
【００１３】
（実施の形態１）
図１は、実施の形態１にかかる通信システムの構成例を示す図である。図１に示すように、実施の形態１にかかる通信システムは、基地局１００と、移動局１０１と、ゲートウェイ１０２と、を含んでいる。移動局１０１は、たとえばＬＴＥで規定されたＵＥ（Ｕｓｅｒ  Ｅｑｕｉｐｍｅｎｔ：ユーザ端末）である。
【００１４】
基地局１００は、移動局１０１との間で無線通信を行う。また、基地局１００は、ゲートウェイ１０２を介して基幹ネットワークに接続され、移動局１０１と基幹ネットワークとの間の通信を中継する。基地局１００は、たとえばＬＴＥで規定されたｅＮＢ（ｅｖｏｌｕｔｉｏｎａｌ  Ｎｏｄｅ  Ｂ）である。
【００１５】
基地局１００は、アンテナ１１１，１２１，１３１と、セル１１０，１２０，１３０と、仮想セル１４０と、を備えている。セル１１０は、物理層処理部１１２（Ｌ１）と、データリンク層処理部１１３（Ｌ２）と、ネットワーク層処理部１１４（Ｌ３）と、を備える通信部である。物理層処理部１１２およびデータリンク層処理部１１３は、移動局１０１との間の無線通信の物理層およびデータリンク層の処理を行う第一処理部である。
【００１６】
具体的には、物理層処理部１１２は、アンテナ１１１を用いた移動局１０１との間の無線通信における物理層（レイヤ１）の処理を行う。物理層の処理には、たとえば、アンテナ１１１により電波を送信する処理や、アンテナ１１１により受信した電波を電気信号に変換する処理などが含まれる。
【００１７】
データリンク層処理部１１３は、アンテナ１１１および物理層処理部１１２を用いた移動局１０１との間の無線通信におけるデータリンク層（レイヤ２）の処理を行う。データリンク層の処理には、たとえば無線リソースの割り当て制御などを行うＭＡＣ（Ｍｅｄｉａ  Ａｃｃｅｓｓ  Ｃｏｎｔｒｏｌ）や、無線リンクの制御を行うＲＬＣ（Ｒａｄｉｏ  Ｌｉｎｋ  Ｃｏｎｔｒｏｌ：無線リンク制御）の処理などが含まれる。
【００１８】
ネットワーク層処理部１１４は、アンテナ１１１、物理層処理部１１２およびデータリンク層処理部１１３を用いた移動局１０１との間の無線通信を制御するネットワーク層（レイヤ３）の処理を行うＲＲＣの機能を有する第二処理部である。ネットワーク層処理部１１４による無線通信の制御には、たとえば物理層処理部１１２およびデータリンク層処理部１１３の動作の制御やデータの秘匿処理などが含まれる。そして、ネットワーク層処理部１１４は、ゲートウェイ１０２を介して、移動局１０１と基幹ネットワークとの間の通信を中継する。
【００１９】
セル１２０は、アンテナ１２１を用いて移動局１０１との間で無線通信を行う通信部である。セル１３０は、アンテナ１３１を用いて移動局１０１との間で無線通信を行う通信部である。また、セル１２０，１３０は、セル１１０と同様の物理層処理部１１２、データリンク層処理部１１３およびネットワーク層処理部１１４を備えている。
【００２０】
また、基地局１００は、所定の場合に、セル１１０，１２０，１３０の各コンポーネントキャリアを用いたキャリアアグリゲーションによって移動局１０１との無線通信を行う。具体的には、基地局１００は、セル１１０，１２０，１３０のそれぞれの物理層処理部１１２およびデータリンク層処理部１１３（第一処理部）を用いたキャリアアグリゲーションを行う。キャリアアグリゲーションを行う所定の場合とは、たとえば、移動局１０１との間で送受信するデータの量が閾値を超えた場合などである。
【００２１】
仮想セル１４０（Ｖｉｒｔｕａｌ  Ｃｅｌｌ）は、ネットワーク層処理部１４１（Ｌ３）を備える通信部である。仮想セル１４０は、たとえば、アンテナ、物理層処理部、データリンク層処理部などを備えていない仮想的なセルである。ネットワーク層処理部１４１は、ＲＲＣの機能を有する第三処理部である。すなわち、ネットワーク層処理部１４１は、セル１１０，１２０，１３０の各コンポーネントキャリアを用いたキャリアアグリゲーションによる移動局１０１と基地局１００との間の一連の無線通信を制御するネットワーク層の処理を行う。
【００２２】
移動局１０１と基地局１００との間の一連の無線通信とは、たとえば、移動局１０１と基地局１００との間のリンクの確立から、移動局１０１と基地局１００との間のリンクの切断までの無線通信である。ネットワーク層処理部１４１は、具体的には、セル１１０，１２０，１３０のそれぞれの物理層処理部１１２およびデータリンク層処理部１１３による移動局１０１との間の一連の無線通信におけるネットワーク層の処理を行う。そして、ネットワーク層処理部１４１は、ゲートウェイ１０２を介して、移動局１０１とネットワークとの間の通信を中継する。
【００２３】
したがって、基地局１００が移動局１０１との間でキャリアアグリゲーションを行う場合は、セル１１０，１２０，１３０のそれぞれのネットワーク層処理部１１４は移動局１０１に関するネットワーク層の処理を行わなくてもよい。一方、基地局１００がキャリアアグリゲーションを行わない場合は、ネットワーク層処理部１４１はネットワーク層の処理を行わなくてもよい。
【００２４】
図１に示した基地局１００は、物理層処理部１１２、データリンク層処理部１１３およびネットワーク層処理部１１４を含む複数のセルを組み合わせることでキャリアアグリゲーションを行う構成である。したがって、従来の移動局装置との互換性を向上させるとともに、従来の基地局装置の変更により基地局１００を容易に実現することができる。
【００２５】
また、キャリアアグリゲーションによる移動局１０１と基地局１００との間の一連の無線通信を一つのセル（仮想セル１４０）で制御する。すなわち、キャリアアグリゲーションによる移動局１０１と基地局１００との間の通信中は、無線通信の制御を仮想セル１４０から他のセルに移管しない。これにより、無線通信を制御する主セルの複雑な切り換え動作を行わなくてもキャリアアグリゲーションを行うことができる。このため、無線通信の瞬断や遅延を抑制して無線通信を安定させることができる。
【００２６】
なお、３つのキャリアコンポーネントを組み合わせたキャリアアグリゲーションを行う場合について説明したが、キャリアアグリゲーションにおいて組み合わせるキャリアコンポーネントは３つに限らない。
【００２７】
セル１１０，１２０，１３０のそれぞれのデータリンク層処理部１１３およびネットワーク層処理部１１４や仮想セル１４０のネットワーク層処理部１４１は、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などの１つまたは複数の演算手段によって実現することができる。
【００２８】
移動局１０１は、たとえば、セル１１０，１２０，１３０のいずれかと無線通信を行う場合に、無線通信を行っているセルからの受信品質を測定し、測定結果を無線通信を行っているセルへ送信する。また、移動局１０１は、たとえば、セル１１０，１２０，１３０を用いたキャリアアグリゲーションによる無線通信を行う場合に、セル１１０，１２０，１３０のうちのキャリアアグリゲーションの主セルからの受信品質を測定する。そして、移動局１０１は、キャリアアグリゲーションの主セルへ測定結果（ｍｅａｓｕｒｅｍｅｎｔ  ｒｅｐｏｒｔ）を送信する。
【００２９】
＜構成例１＞
基地局１００の構成例１においては、セル１１０，１２０，１３０の通信品質の変動などにかかわらず、主セルとして設定されるセルが仮想セル１４０に固定される。
【００３０】
図２は、図１に示した基地局の構成例１を示す図である。図２において、図１に示した部分と同様の部分については同一の符号を付して説明を省略する。基地局１００が備える仮想セル１４０のネットワーク層処理部１４１は、たとえば、制御部２０１と、ユーザデータ処理部２０２と、を備えている。
【００３１】
制御部２０１は、セル１１０，１２０，１３０のそれぞれの物理層処理部１１２およびデータリンク層処理部１１３を介して移動局１０１との間で確立するＣ−Ｐｌａｎｅ（制御信号系）を終端するＲＲＣの機能を有する。制御部２０１は、Ｃ−Ｐｌａｎｅによって移動局１０１と送受信する制御信号をゲートウェイ１０２と送受信する。
【００３２】
ユーザデータ処理部２０２は、セル１１０，１２０，１３０のそれぞれの物理層処理部１１２およびデータリンク層処理部１１３を介して移動局１０１との間で確立するＵ−Ｐｌａｎｅを終端する。ユーザデータ処理部２０２は、Ｕ−Ｐｌａｎｅ（主信号系）によって移動局１０１と送受信するユーザデータをゲートウェイ１０２と送受信する。
【００３３】
図３は、図２に示した構成例１に対応する通信システムの動作例を示すシーケンス図である。図３に示すように、まず、移動局１０１が、基地局１００のセル１１０との間で通信を行っているとする（ステップＳ３０１）。具体的には、移動局１０１は、セル１１０との間でＣ−ＰｌａｎｅおよびＵ−Ｐｌａｎｅを確立している。
【００３４】
つぎに、セル１１０が、仮想セル１４０を主セルとするキャリアアグリゲーションの開始を指示する指示メッセージを移動局１０１へ送信する（ステップＳ３０２）。ステップＳ３０２によって送信される指示メッセージは、たとえばＲＲＣシグナリングとして送信される「ＲＲＣ  Ｒｅｃｏｎｆｉｇｕｒａｔｉｏｎ」である。
【００３５】
つぎに、移動局１０１が、キャリアアグリゲーションの主セルを仮想セル１４０に設定し、仮想セル１４０への完了メッセージを送信する（ステップＳ３０３）。ステップＳ３０３によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。ステップＳ３０３によって送信された完了メッセージは、たとえばセル１１０，１２０，１３０を介して仮想セル１４０によって受信される。
【００３６】
つぎに、移動局１０１が、基地局１００のセル１１０，１２０，１３０との間でキャリアアグリゲーションによる無線通信を開始する（ステップＳ３０４）。具体的には、移動局１０１は、仮想セル１４０との間でＣ−Ｐｌａｎｅを確立する。また、移動局１０１は、セル１１０，１２０，１３０との間でそれぞれ無線リンクを確立し、ユーザデータ（Ｕ−Ｐｌａｎｅ）の伝送を行う。
【００３７】
このように、移動局１０１とセル１１０，１２０，１３０との間でキャリアアグリゲーションによる一連の無線通信を行っている間は、主セルは仮想セル１４０に固定される。したがって、主セルの変更に伴うハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００３８】
このように、構成例１においては、仮想セル１４０のネットワーク層処理部１４１との間でネットワーク層の処理を行うことを指示する指示メッセージを移動局１０１へ送信する。指示メッセージを送信する送信部には、たとえばセル１１０，１２０，１３０の少なくともいずれかの物理層処理部１１２およびデータリンク層処理部１１３を用いることができる。これに対して、仮想セル１４０のネットワーク層処理部１４１は、移動局１０１との間でネットワーク層の処理を行う。ネットワーク層処理部１４１と移動局１０１との間で行われるネットワーク層の処理には、たとえば無線通信により伝送されるデータ（たとえばユーザデータ）の秘匿処理が含まれる。
【００３９】
図４は、図２に示した構成例１に対応するセルの処理の一例を示すフローチャートである。図２に示したセル１１０は、移動局１０１と単独のキャリアコンポーネントを用いて無線通信を行っている場合に、たとえば図４に示す各ステップを実行する。なお、セル１１０の処理について説明するが、セル１２０，１３０も同様の処理を行ってもよい。
【００４０】
まず、セル１１０は、移動局１０１との間でキャリアアグリゲーションを開始するか否かを判断する（ステップＳ４０１）。キャリアアグリゲーションを開始するか否かの判断は、たとえば、移動局１０１と基地局１００との間の通信品質やトラフィック量に基づいて行う。移動局１０１との間でキャリアアグリゲーションを開始しないと判断した場合（ステップＳ４０１：Ｎｏ）は、セル１１０は、一連の処理を終了する。
【００４１】
ステップＳ４０１において、移動局１０１との間でキャリアアグリゲーションを開始すると判断した場合（ステップＳ４０１：Ｙｅｓ）は、セル１１０は、ステップＳ４０２へ移行する。すなわち、セル１１０は、移動局１０１との間の無線通信におけるＲＲＣの機能を仮想セル１４０へ移管し（ステップＳ４０２）、一連の処理を終了する。ステップＳ４０２の後に、セル１１０は、移動局１０１と仮想セル１４０との間において行われるキャリアアグリゲーションに含まれるキャリアコンポーネントの１つの送受信を行う。
【００４２】
ステップＳ４０２において、セル１１０は、たとえば、基地局１００と移動局１０１との間のキャリアアグリゲーションによる無線通信におけるＲＲＣの処理を行うように仮想セル１４０を制御する。また、セル１１０は、移動局１０１は、キャリアアグリゲーションを開始することを指示する指示メッセージを移動局１０１へ送信する。また、セル１１０は、移動局１０１と単独のキャリアコンポーネントを用いて行っていた無線通信のＲＲＣの処理を停止する。
【００４３】
＜構成例２＞
基地局１００の構成例２においては、セル１１０，１２０，１３０の通信品質の変動などにより、セル１１０，１２０，１３０の中で主セルとして設定されるセルが変更される。ただし、ＲＲＣの処理は、セル１１０，１２０，１３０の少なくともいずれかを介して仮想セル１４０によって終端される。
【００４４】
図５は、図１に示した基地局の構成例２を示す図である。図５において、図２に示した部分と同様の部分については同一の符号を付して説明を省略する。キャリアアグリゲーションを開始する場合は、図５に示すように、セル１１０，１２０，１３０のうちの主セルとして設定されるセルのネットワーク層処理部１１４が、ＲＲＣの処理に用いるセル情報（ＲＲＣパラメータ）を仮想セル１４０へ出力してもよい。セル情報は、たとえばセルごとに固有のパラメータである。また、セル情報は、たとえばＲＲＣにおけるデータの秘匿処理に用いるキー情報である。
【００４５】
仮想セル１４０の制御部２０１は、セル１１０，１２０，１３０のうちの主セルとして設定されているセルのセル情報を用いてＲＲＣの処理を行う。これにより、仮想セル１４０は、セル１１０，１２０，１３０のうちの主セルとして設定されているセルと同等のＲＲＣの処理を行うことができる。
【００４６】
たとえば、セル１１０が主セルとして設定されている場合に、制御部２０１はセル情報としてセル１１０に固有のキー情報をセル１１０から取得する。そして、制御部２０１は、取得したキー情報を用いたデータの秘匿処理を含むＲＲＣの処理を行う。また、主セルがセル１１０からセル１２０に変更された場合に、制御部２０１はセル情報としてセル１２０に固有のキー情報をセル１２０から取得する。そして、制御部２０１は、取得したキー情報を用いたデータの秘匿処理を含むＲＲＣの処理を行う。
【００４７】
図６は、図５に示した構成例２に対応する通信システムの動作例を示すシーケンス図である。図６に示すように、まず、移動局１０１が、基地局１００のセル１１０との間で通信を行っているとする（ステップＳ６０１）。具体的には、移動局１０１は、セル１１０との間でＣ−ＰｌａｎｅおよびＵ−Ｐｌａｎｅを確立している。
【００４８】
つぎに、セル１１０が、セル１１０に固有のセル情報を仮想セル１４０へ出力する（ステップＳ６０２）。つぎに、セル１１０が、セル１１０を主セルとするキャリアアグリゲーションの開始を指示する指示メッセージを移動局１０１へ送信する（ステップＳ６０３）。つぎに、移動局１０１が、キャリアアグリゲーションの主セルをセル１１０に設定し、セル１１０への完了メッセージを送信する（ステップＳ６０４）。ステップＳ６０４によって送信された完了メッセージは、たとえばセル１１０，１２０，１３０によって仮想セル１４０へ転送される。
【００４９】
つぎに、移動局１０１が、セル１１０を主セルとして設定し、基地局１００のセル１１０，１２０，１３０との間でキャリアアグリゲーションによる無線通信を開始する（ステップＳ６０５）。具体的には、移動局１０１は、主セルとして設定したセル１１０との間でＣ−Ｐｌａｎｅを確立する処理を行う。これに対して、仮想セル１４０が、ステップＳ６０２によって出力されたセル１１０に固有のセル情報を用いて、移動局１０１との間でＣ−Ｐｌａｎｅを確立する。
【００５０】
移動局１０１と仮想セル１４０との間のＣ−Ｐｌａｎｅは、たとえばセル１１０，１２０，１３０によって中継される。したがって、移動局１０１においてはセル１１０が主セルとして設定される一方、主セルとしての処理（ＲＲＣ処理）は仮想セル１４０が行うことになる。また、移動局１０１は、セル１１０，１２０，１３０との間でそれぞれＵ−Ｐｌａｎｅを確立する。
【００５１】
つぎに、移動局１０１と基地局１００との間のキャリアアグリゲーションの主セルをセル１１０からセル１２０へ変更するとする。この場合は、セル１２０が、セル１２０に固有のセル情報を仮想セル１４０へ出力する（ステップＳ６０６）。つぎに、仮想セル１４０が、セル１２０を主セルとするキャリアアグリゲーションの開始を指示する指示メッセージを、たとえばセル１１０，１２０，１３０を介して移動局１０１へ送信する（ステップＳ６０７）。つぎに、移動局１０１が、キャリアアグリゲーションの主セルをセル１２０に設定し、セル１２０への完了メッセージを送信する（ステップＳ６０８）。ステップＳ６０８によって送信された完了メッセージは、たとえばセル１１０，１２０，１３０によって仮想セル１４０へ転送される。
【００５２】
つぎに、移動局１０１が、セル１２０を主セルとして設定し、基地局１００のセル１１０，１２０，１３０との間でキャリアアグリゲーションによる無線通信を開始する（ステップＳ６０９）。具体的には、移動局１０１は、主セルとして設定したセル１２０との間でＣ−Ｐｌａｎｅを確立する処理を行う。これに対して、仮想セル１４０が、ステップＳ６０６によって出力されたセル１２０に固有のセル情報を用いて、移動局１０１との間でＣ−Ｐｌａｎｅを確立する。
【００５３】
移動局１０１と仮想セル１４０との間のＣ−Ｐｌａｎｅは、たとえばセル１１０，１２０，１３０によって中継される。したがって、移動局１０１においてはセル１２０が主セルとして設定されるが、主セルとしての処理（ＲＲＣ処理）は仮想セル１４０が行うことになる。また、移動局１０１は、セル１１０，１２０，１３０との間でそれぞれＵ−Ｐｌａｎｅを確立する。
【００５４】
これにより、移動局１０１とセル１１０，１２０，１３０との間でキャリアアグリゲーションによる通信を行っている間は、主セルが変更されても、主セルとしての処理は仮想セル１４０によって行われる。したがって、主セルの変更に伴う複雑なハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００５５】
なお、ステップＳ６０２，Ｓ６０６において、セル情報はたとえばＸ２インターフェースによって出力される。ステップＳ６０３，Ｓ６０７によって送信される指示メッセージは、たとえばＲＲＣシグナリングとして送信される「ＲＲＣ  Ｒｅｃｏｎｆｉｇｕｒａｔｉｏｎ」である。ステップＳ６０４，Ｓ６０８によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。
【００５６】
このように、構成例２においては、セル１１０，１２０，１３０に含まれる所定のセル（主セル）との間でネットワーク層の処理を行うことを指示する指示メッセージを移動局１０１へ送信する。指示メッセージを送信する送信部には、たとえばセル１１０，１２０，１３０の少なくともいずれかの物理層処理部１１２およびデータリンク層処理部１１３を用いることができる。
【００５７】
これに対して、セル１１０のネットワーク層処理部１１４は、所定のセルに固有の、ネットワーク層の処理に用いるパラメータ（セル情報）を取得し、取得したパラメータを用いて移動局１０１との間でネットワーク層の処理を行う。ネットワーク層処理部１１４と移動局１０１との間で行われるネットワーク層の処理には、たとえば無線通信により伝送されるデータ（たとえばユーザデータ）の秘匿処理が含まれる。この場合は、ネットワーク層の処理に用いるパラメータには、たとえば秘匿処理のキー情報が含まれる。
【００５８】
図７は、図５に示した構成例２に対応するセルの処理の一例を示すフローチャートである。図５に示したセル１１０は、移動局１０１と単独のキャリアコンポーネントを用いて無線通信を行っている場合に、たとえば図７に示す各ステップを実行する。なお、セル１１０の処理について説明するが、セル１２０，１３０も同様の処理を行ってもよい。
【００５９】
図７に示すステップＳ７０１，Ｓ７０２は、図４に示したステップＳ４０１，Ｓ４０２と同様である。ステップＳ７０２のつぎに、セル１１０は、自セルがキャリアアグリゲーションの主セルか否かを判断する（ステップＳ７０３）。キャリアアグリゲーションの主セルは、たとえば、直前に移動局１０１との間で無線通信を行っていたセルに設定される。たとえば図６に示した例においてキャリアアグリゲーションを開始する際は、セル１１０がキャリアアグリゲーションの主セルとなる。
【００６０】
ステップＳ７０３において、自セルがキャリアアグリゲーションの主セルでない場合（ステップＳ７０３：Ｎｏ）は、セル１１０は、一連の処理を終了する。この後、セル１１０は、移動局１０１と仮想セル１４０との間において行われるキャリアアグリゲーションに含まれるキャリアコンポーネントの１つの送受信を行う。
【００６１】
ステップＳ７０３において、自セルがキャリアアグリゲーションの主セルである場合（ステップＳ７０３：Ｙｅｓ）は、セル１１０は、自セルに固有のセル情報を仮想セル１４０へ出力し（ステップＳ７０４）、一連の処理を終了する。この後、セル１１０は、移動局１０１と仮想セル１４０との間において行われるキャリアアグリゲーションに含まれるキャリアコンポーネントの１つの送受信を行う。
【００６２】
このように、実施の形態１にかかる基地局１００によれば、キャリアアグリゲーションによる移動局１０１と基地局１００との間の一連の無線通信を仮想セル１４０で制御することができる。これにより、無線通信を制御する主セルの複雑な切り換え動作を行わなくてもキャリアアグリゲーションを行うことができる。このため、無線通信の瞬断や遅延を抑制し、無線通信を安定させることができる。
【００６３】
（実施の形態２）
図８は、実施の形態２にかかる通信システムの構成例を示す図である。図８において、図１に示した部分と同様の部分については同一の符号を付して説明を省略する。図８に示すように、実施の形態２にかかる基地局１００は、アンテナ１１１，１２１，１３１と、セル１１０，１２０，１３０と、を備えている。
【００６４】
実施の形態２においては、キャリアアグリゲーションを行う場合に、セル１１０，１２０，１３０のいずれかを共有セルとし、共有セルのネットワーク層処理部１１４をセル１１０，１２０，１３０で共有して用いる。たとえば図８に示す例では、セル１１０を共有セルとし、セル１１０のネットワーク層処理部１１４によって、キャリアアグリゲーションによる移動局１０１との無線通信を制御するネットワーク層の処理を行う。
【００６５】
具体的には、セル１１０のネットワーク層処理部１１４は、セル１１０，１２０，１３０のそれぞれの物理層処理部１１２およびデータリンク層処理部１１３による移動局１０１との無線通信におけるネットワーク層の処理を行う。したがって、基地局１００が移動局１０１との間でキャリアアグリゲーションを行う場合は、セル１２０，１３０のそれぞれのネットワーク層処理部１１４は移動局１０１に関するネットワーク層の処理を行わなくてもよい。
【００６６】
このように、実施の形態２においては、キャリアアグリゲーションによる移動局１０１と基地局１００との間の一連の無線通信を、セル１１０，１２０，１３０のうちの一つのセルによって制御する。これにより、無線通信を制御する主セルの複雑な切り換え動作を行わなくてもキャリアアグリゲーションを行うことができる。このため、無線通信の瞬断や遅延を抑制して無線通信を安定させることができる。
【００６７】
なお、キャリアアグリゲーションによる一連の無線通信を制御するのはセル１１０に限らず、セル１２０またはセル１３０でもよい。たとえば移動局１０１とのキャリアアグリゲーションによる一連の無線通信をセル１１０によって制御するとともに、移動局１０１と異なる移動局とのキャリアアグリゲーションによる一連の無線通信をセル１２０またはセル１３０によって制御してもよい。
【００６８】
＜構成例１＞
基地局１００の構成例１においては、セル１１０，１２０，１３０の通信品質の変動などにかかわらず、主セルとして設定されるセルがセル１１０，１２０，１３０のいずれかに固定される。
【００６９】
図９は、図８に示した基地局の構成例１を示す図である。図９において、図２または図８に示した部分と同様の部分については同一の符号を付して説明を省略する。基地局１００が備えるセル１１０のネットワーク層処理部１１４は、たとえば、制御部２０１と、ユーザデータ処理部２０２と、を備えている。
【００７０】
制御部２０１は、セル１１０，１２０，１３０のそれぞれの物理層処理部１１２およびデータリンク層処理部１１３を介して移動局１０１との間で確立するＣ−Ｐｌａｎｅ（制御信号系）を終端するＲＲＣの機能を有する。制御部２０１は、Ｃ−Ｐｌａｎｅによって移動局１０１と送受信する制御信号をゲートウェイ１０２と送受信する。
【００７１】
ユーザデータ処理部２０２は、セル１１０，１２０，１３０のそれぞれの物理層処理部１１２およびデータリンク層処理部１１３を介して移動局１０１との間で確立するＵ−Ｐｌａｎｅを終端する。ユーザデータ処理部２０２は、Ｕ−Ｐｌａｎｅ（主信号系）によって移動局１０１と送受信するユーザデータをゲートウェイ１０２と送受信する。
【００７２】
図１０は、図９に示した構成例１に対応する通信システムの動作例を示すシーケンス図である。図１０に示すように、まず、移動局１０１が、基地局１００のセル１１０との間で通信を行っているとする（ステップＳ１００１）。具体的には、移動局１０１は、セル１１０との間でＣ−ＰｌａｎｅおよびＵ−Ｐｌａｎｅを確立している。
【００７３】
つぎに、セル１１０が、セル１１０を主セルとするキャリアアグリゲーションの開始を指示する指示メッセージを移動局１０１へ送信する（ステップＳ１００２）。ステップＳ１００２によって送信される指示メッセージは、たとえばＲＲＣシグナリングとして送信される「ＲＲＣ  Ｒｅｃｏｎｆｉｇｕｒａｔｉｏｎ」である。
【００７４】
つぎに、移動局１０１が、キャリアアグリゲーションの主セルをセル１１０に設定し、セル１１０へ完了メッセージを送信する（ステップＳ１００３）。ステップＳ１００３によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。
【００７５】
つぎに、移動局１０１が、基地局１００のセル１１０，１２０，１３０との間でキャリアアグリゲーションによる無線通信を開始する（ステップＳ１００４）。具体的には、移動局１０１は、セル１１０との間でＣ−Ｐｌａｎｅを確立する。また、移動局１０１は、セル１１０，１２０，１３０との間でそれぞれ無線リンクを確立し、ユーザデータの伝送を行う。
【００７６】
このように、移動局１０１と基地局１００との間でキャリアアグリゲーションによる一連の無線通信を行っている間は、主セルはセル１１０に固定される。したがって、主セルの変更に伴うハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００７７】
図１１は、図２に示した構成例１に対応するセルの処理の一例を示すフローチャートである。図９に示したセル１１０は、移動局１０１と単独のキャリアコンポーネントを用いて無線通信を行っている場合に、たとえば図１１に示す各ステップを実行する。なお、セル１１０の処理について説明するが、セル１２０，１３０も同様の処理を行ってもよい。
【００７８】
まず、セル１１０は、移動局１０１との間でキャリアアグリゲーションを開始するか否かを判断する（ステップＳ１１０１）。キャリアアグリゲーションを開始するか否かの判断は、たとえば、移動局１０１と基地局１００との間のトラフィック量に基づいて行う。移動局１０１との間でキャリアアグリゲーションを開始しないと判断した場合（ステップＳ１１０１：Ｎｏ）は、セル１１０は、一連の処理を終了する。
【００７９】
ステップＳ１１０１において、移動局１０１との間でキャリアアグリゲーションを開始すると判断した場合（ステップＳ１１０１：Ｙｅｓ）は、セル１１０は、ステップＳ１１０２へ移行する。すなわち、セル１１０は、移動局１０１との間の無線通信におけるＲＲＣの機能を、キャリアアグリゲーションによる無線通信を制御する共有セルへ移管し（ステップＳ１１０２）、一連の処理を終了する。また、ステップＳ１１０２の後に、セル１１０は、移動局１０１と共有セルとの間において行われるキャリアアグリゲーションに含まれるキャリアコンポーネントの１つの送受信を行う。
【００８０】
ステップＳ１１０２において、たとえば図１０に示した例のように、共有セルがセル１１０である場合は、セル１１０は、移動局１０１との間のキャリアアグリゲーションによる無線通信におけるＲＲＣの機能を自身に設定する。一方、共有セルがセル１１０でない場合は、セル１１０は、移動局１０１との間のキャリアアグリゲーションによる無線通信におけるＲＲＣの処理を開始するように共有セルを制御する。
【００８１】
また、セル１１０は、キャリアアグリゲーションを開始することを指示する指示メッセージを移動局１０１へ送信する。また、セル１１０は、移動局１０１と単独のキャリアコンポーネントを用いて行っていた無線通信のＲＲＣの処理を停止する。
【００８２】
＜構成例２＞
基地局１００の構成例２においては、セル１１０，１２０，１３０の通信品質の変動などにより、セル１１０，１２０，１３０の中で主セルとして設定されるセルが変更される。ただし、ＲＲＣの処理はセル１１０，１２０，１３０のいずれかによって行われる。
【００８３】
図１２は、図１に示した基地局の構成例２を示す図である。図１２において、図９に示した部分と同様の部分については同一の符号を付して説明を省略する。ここではセル１１０を共有セルとする。セル１２０を主セルとしてセル１１０，１２０，１３０を用いたキャリアアグリゲーションを開始する場合は、セル１２０のネットワーク層処理部１１４が、ＲＲＣの処理に用いるセル１２０に固有のセル情報をセル１１０へ出力する。
【００８４】
また、セル１３０を主セルとしてセル１１０，１２０，１３０を用いたキャリアアグリゲーションを開始する場合は、セル１３０のネットワーク層処理部１１４が、ＲＲＣの処理に用いるセル１３０に固有のセル情報をセル１１０へ出力する。また、セル１１０を主セルとしてセル１１０，１２０，１３０を用いたキャリアアグリゲーションを開始する場合は、セル１１０は、自身に設定された固有のセル情報を取得する。
【００８５】
セル１１０の制御部２０１は、セル１１０，１２０，１３０のうちの主セルとして設定されているセルのセル情報を用いてＲＲＣの処理を行う。これにより、セル１１０は、セル１１０，１２０，１３０のうちの主セルとして設定されているセルと同等のＲＲＣの処理を行うことができる。
【００８６】
たとえば、セル１２０が主セルとして設定されている場合に、制御部２０１はセル情報としてセル１２０に固有のキー情報をセル１２０から取得する。そして、制御部２０１は、取得したキー情報を用いたデータの秘匿処理を含むＲＲＣの処理を行う。また、主セルがセル１２０からセル１３０に変更された場合に、制御部２０１はセル情報としてセル１３０に固有のキー情報をセル１２０から取得する。そして、制御部２０１は、取得したキー情報を用いたデータの秘匿処理を含むＲＲＣの処理を行う。
【００８７】
図１３は、図１２に示した構成例２に対応する通信システムの動作例を示すシーケンス図である。図１３に示すように、まず、移動局１０１が、基地局１００のセル１１０との間で通信を行っているとする（ステップＳ１３０１）。具体的には、移動局１０１は、セル１１０との間でＣ−ＰｌａｎｅおよびＵ−Ｐｌａｎｅを確立している。
【００８８】
つぎに、セル１１０が、セル１１０を主セルとするキャリアアグリゲーションの開始を指示する指示メッセージを移動局１０１へ送信する（ステップＳ１３０２）。つぎに、移動局１０１が、キャリアアグリゲーションの主セルをセル１１０に設定し、セル１１０へ完了メッセージを送信する（ステップＳ１３０３）。
【００８９】
つぎに、移動局１０１が、セル１１０を主セルとして設定し、基地局１００のセル１１０，１２０，１３０との間でキャリアアグリゲーションによる無線通信を開始する（ステップＳ１３０４）。具体的には、移動局１０１は、主セルとして設定したセル１１０との間でＣ−Ｐｌａｎｅを確立する処理を行う。これに対して、セル１１０が、セル１１０に固有のセル情報を用いて、移動局１０１との間でＣ−Ｐｌａｎｅを確立する。
【００９０】
つぎに、移動局１０１と基地局１００との間のキャリアアグリゲーションの主セルをセル１１０からセル１２０へ変更するとする。この場合は、セル１２０が、セル１２０に固有のセル情報をセル１１０へ出力する（ステップＳ１３０５）。
【００９１】
つぎに、セル１１０が、セル１２０を主セルとするキャリアアグリゲーションの開始を指示する指示メッセージを、たとえばセル１１０，１２０，１３０を介して移動局１０１へ送信する（ステップＳ１３０６）。つぎに、移動局１０１が、キャリアアグリゲーションの主セルをセル１２０に設定し、セル１２０への完了メッセージを送信する（ステップＳ１３０７）。ステップＳ１３０７によって送信された完了メッセージは、たとえばセル１１０，１２０，１３０によってセル１２０へ転送される。
【００９２】
つぎに、移動局１０１が、セル１２０を主セルとして設定し、基地局１００のセル１１０，１２０，１３０との間でキャリアアグリゲーションによる無線通信を開始する（ステップＳ１３０８）。具体的には、移動局１０１は、主セルとして設定したセル１２０との間でＣ−Ｐｌａｎｅを確立する処理を行う。これに対して、セル１１０が、ステップＳ１３０５によって出力されたセル１２０に固有のセル情報を用いて、移動局１０１との間でＣ−Ｐｌａｎｅを確立する。
【００９３】
移動局１０１との間のＣ−Ｐｌａｎｅは、セル１１０によって直接終端されてもよいし、セル１２０，１３０を介してセル１１０によって終端されてもよい。したがって、移動局１０１においてはセル１２０が主セルとして設定されるが、主セルとしての処理（ＲＲＣ処理）はセル１１０が行うことになる。また、移動局１０１は、セル１１０，１２０，１３０との間でそれぞれ無線リンクを確立し、ユーザデータの伝送を行う。
【００９４】
これにより、移動局１０１とセル１１０，１２０，１３０との間でキャリアアグリゲーションによる通信を行っている間は、主セルが変更されても、主セルとしての処理はセル１１０によって行われる。したがって、主セルの変更に伴う複雑なハンドオーバの動作（秘匿キーの変更など）は発生しない。このため、移動局１０１とセル１１０，１２０，１３０との間のキャリアアグリゲーションによる無線通信において、通信の瞬断や遅延が抑えられ、無線通信を安定させることができる。
【００９５】
なお、ステップＳ１３０５において、セル情報はたとえばＸ２インターフェースによって出力される。ステップＳ１３０２，Ｓ１３０６によって送信される指示メッセージは、たとえばＲＲＣシグナリングとして送信される「ＲＲＣ  Ｒｅｃｏｎｆｉｇｕｒａｔｉｏｎ」である。ステップＳ１３０３，Ｓ１３０７によって送信される完了メッセージは、たとえばＲＲＣシグナリングとして送信される「ＲＲＣ  Ｒｅｃｏｎｆｉｇｕｒａｔｉｏｎ  Ｃｏｍｐｌｅｔｅ」である。
【００９６】
図１４は、図１２に示した構成例２に対応するセルの処理の一例を示すフローチャートである。図１２に示したセル１１０は、移動局１０１と単独のキャリアコンポーネントを用いて無線通信を行っている場合に、たとえば図１４に示す各ステップを実行する。なお、セル１１０の処理について説明するが、セル１２０，１３０も同様の処理を行ってもよい。図１４に示すステップＳ１４０１，Ｓ１４０２は、図１１に示したステップＳ１１０１，Ｓ１１０２と同様である。
【００９７】
ステップＳ１４０２のつぎに、セル１１０は、自セルがキャリアアグリゲーションの主セルか否かを判断する（ステップＳ１４０３）。キャリアアグリゲーションの主セルは、たとえば、直前に移動局１０１との間で無線通信を行っていたセルに設定される。たとえば図１３に示した例においてキャリアアグリゲーションを開始する際は、セル１１０がキャリアアグリゲーションの主セルとなる。
【００９８】
ステップＳ１４０３において、自セルがキャリアアグリゲーションの主セルでない場合（ステップＳ１４０３：Ｎｏ）は、セル１１０は、一連の処理を終了する。この後、セル１１０は、移動局１０１と基地局１００との間において行われるキャリアアグリゲーションに含まれるキャリアコンポーネントの１つの送受信を行う。
【００９９】
ステップＳ１４０３において、自セルがキャリアアグリゲーションの主セルである場合（ステップＳ１４０３：Ｙｅｓ）は、セル１１０は、ステップＳ１４０４へ移行する。すなわち、セル１１０は、自セルに固有のセル情報を、キャリアアグリゲーションによる無線通信を制御する共有セルへ出力し（ステップＳ１４０４）、一連の処理を終了する。この後、セル１１０は、移動局１０１と基地局１００との間において行われるキャリアアグリゲーションに含まれるキャリアコンポーネントの１つの送受信を行う。
【０１００】
このように、実施の形態２にかかる基地局１００によれば、キャリアアグリゲーションによる移動局１０１と基地局１００との間の一連の無線通信を、セル１１０，１２０，１３０のいずれかで制御することができる。これにより、無線通信を制御する主セルの複雑な切り換え動作を行わなくてもキャリアアグリゲーションを行うことができる。このため、無線通信の瞬断や遅延を抑制し、無線通信を安定させることができる。
【０１０１】
以上説明したように、基地局、無線通信システム、通信システムおよび通信方法によれば、無線通信を安定させることができる。
【０１０２】
上述した各実施の形態に関し、さらに以下の付記を開示する。
【０１０３】
（付記１）移動局との間の無線通信の物理層およびデータリンク層の処理を行う第一処理部と、前記無線通信のネットワーク層の処理を行う第二処理部と、を有する複数の通信部と、
前記複数の通信部の前記第一処理部を用いたキャリアアグリゲーションによる自局と移動局との間の一連の無線通信を制御するネットワーク層の第三処理部と、
を備えることを特徴とする基地局。
【０１０４】
（付記２）前記第三処理部との間で前記ネットワーク層の処理を行うことを指示する指示メッセージを前記移動局へ送信する送信部を備え、
前記第三処理部は、前記移動局との間で前記ネットワーク層の処理を行うことを特徴とする付記１に記載の基地局。
【０１０５】
（付記３）前記複数の通信部に含まれる所定の通信部との間で前記ネットワーク層の処理を行うことを指示する指示メッセージを前記移動局へ送信する送信部を備え、
前記第三処理部は、前記ネットワーク層の処理に用いる前記所定の通信部に固有のパラメータを取得し、取得したパラメータを用いて前記移動局との間で前記ネットワーク層の処理を行うことを特徴とする付記１に記載の基地局。
【０１０６】
（付記４）前記ネットワーク層の処理には前記無線通信により伝送されるデータの秘匿処理が含まれることを特徴とする付記２または３に記載の基地局。
【０１０７】
（付記５）前記ネットワーク層の処理には前記無線通信により伝送されるデータの秘匿処理が含まれ、
前記パラメータには前記秘匿処理のキー情報が含まれることを特徴とする付記３に記載の基地局。
【０１０８】
（付記６）移動局との間の無線通信の物理層およびデータリンク層の処理を行う第一処理部と、前記無線通信のネットワーク層の処理を行う第二処理部と、を有する複数の通信部を備え、
前記複数の通信部の前記第一処理部を用いたキャリアアグリゲーションによる自局と移動局との間の一連の無線通信を、前記複数の通信部に含まれる一つの通信部の前記第二処理部によって制御することを特徴とする基地局。
【０１０９】
（付記７）前記一つの通信部との間で前記ネットワーク層の処理を行うことを指示する指示メッセージを前記移動局へ送信する送信部を備え、
前記一つの通信部は、前記移動局との間で前記ネットワーク層の処理を行うことを特徴とする付記６に記載の基地局。
【０１１０】
（付記８）前記複数の通信部に含まれる所定の通信部との間で前記ネットワーク層の処理を行うことを指示する指示メッセージを前記移動局へ送信し、
前記一つの通信部の前記第二処理部は、前記所定の通信部に固有の前記ネットワーク層の処理に用いるパラメータを取得し、取得したパラメータを用いて前記移動局との間で前記ネットワーク層の処理を行うことを特徴とする付記６に記載の基地局。
【０１１１】
（付記９）移動局との間の無線通信の物理層およびデータリンク層の処理を行う第一処理部と、前記無線通信のネットワーク層の処理を行う第二処理部と、を有する複数の通信部と、前記複数の通信部の前記第一処理部を用いたキャリアアグリゲーションによる自局と移動局との間の一連の無線通信を制御するネットワーク層の第三処理部と、を備える基地局と、
前記基地局との間で前記キャリアアグリゲーションによる無線通信を行う移動局と、
を含むことを特徴とする通信システム。
【０１１２】
（付記１０）移動局との間の無線通信の物理層およびデータリンク層の処理を行う第一処理部と、前記無線通信のネットワーク層の処理を行う第二処理部と、を有する複数の通信部を備え、前記複数の通信部の前記第一処理部を用いたキャリアアグリゲーションによる自局と移動局との間の一連の無線通信を、前記複数の通信部に含まれる一つの通信部の前記第二処理部によって制御する基地局と、
前記基地局との間で前記キャリアアグリゲーションによる無線通信を行う移動局と、
を含むことを特徴とする通信システム。
【０１１３】
（付記１１）移動局との間の無線通信の物理層およびデータリンク層の処理を行う第一処理部と、前記無線通信のネットワーク層の処理を行う第二処理部と、を有する複数の通信部および第三処理部を備える基地局と移動局とによる通信方法において、
前記複数の通信部の前記第一処理部を用いたキャリアアグリゲーションによる前記基地局と前記移動局との間の一連の無線通信を前記第三処理部によって制御することを特徴とする通信方法。
【０１１４】
（付記１２）移動局との間の無線通信の物理層およびデータリンク層の処理を行う第一処理部と、前記無線通信のネットワーク層の処理を行う第二処理部と、を有する複数の通信部を備える基地局と移動局とによる通信方法において、
前記複数の通信部の前記第一処理部を用いたキャリアアグリゲーションによる前記基地局と前記移動局との間の一連の無線通信を前記複数の通信部に含まれる一つの通信部の前記第二処理部によって制御することを特徴とする通信方法。
【０１１５】
（付記１３）移動局との間の無線通信の物理層およびデータリンク層の処理を行う複数の通信部と、
前記複数の通信部を用いたキャリアアグリゲーションによる自局と移動局との間の一連の無線通信を制御するネットワーク層の処理部と、
を備えることを特徴とする基地局。
【符号の説明】
【０１１６】
１００  基地局
１０１  移動局
１０２  ゲートウェイ
１１０，１２０，１３０  セル
１１１，１２１，１３１  アンテナ
１１２  物理層処理部
１１３  データリンク層処理部
１１４，１４１  ネットワーク層処理部
１４０  仮想セル
２０１  制御部
２０２  ユーザデータ処理部
【国際調査報告】
2012131857.tif 000017
2012131857.tif 000018
2012131857.tif 000019
2012131857.tif 000020